(57)【要約】      （修正有）【課題】ヘッド部位が容易には外れることがない安全性を確保するとともに、片手でハンマーをそのまま使用できる握り状態で該ハンマーの取付と外しが簡単に行えるＴ字形部材用ホルダを提供する。【解決手段】ヘッド保持部１３にある棒体は、内行き規制部１９で内側に行くのが阻止され、ヘッド上面規制部１２ａおよびヘッド上面規制部１２ｂで上に行くのが阻止され、ヘッド側面規制部１１ａおよびヘッド側面規制部１１ｂで外側に行くのが阻止され、棒体が内行き規制部１９に当り内側に行くのが阻止され、ヘッド載り部位１０ａおよびヘッド載り部位１０ｂで棒体が外れるのが阻止されヘッド部位が完全にヘッド保持部１３から逃れられない保持形態を実現する。棒体を一方の手で握って水平状態から水平状態のまで回動起こして、ヘッド部位をヘッド保持部１３からヘッド出し入れ空間部１８に移動させ、ヘッド部位を持ち上げヘッド出し入れ開口部１７から外に外す。【選択図】図１
2012135862.tif 000002
【特許請求の範囲】
【請求項１】
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなることを特徴とするＴ字形部材用ホルダ。
【請求項２】
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体の上部から外側に突出するように設けられた、前記第１のヘッド下面を載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記取付体の上部から外側に突出するように設けられた、前記ヘッド部位の前記第２のヘッド下面を載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部と前記取付体の間に形成された、前記ヘッド部位を前記ヘッド保持部に出し入れするためのヘッド出し入れ開口部と、
前記取付体の上部側あるいは該取付体の外側で該取付体に近接する位置に設けられた、前記ヘッド保持部に保持状態にある前記ヘッド部位ないし下がり状態にある前記棒体の内側への動きを規制する内行き規制部とからなるとともに、
第１のヘッド載り部位および第２のヘッド載り部位の上面が、前記取付体が取りつけられたベルトや壁などの取付体取付け部の上部面と略同じ程度かそれより上方に位置するようにしてなることを特徴とするＴ字形部材用ホルダ。
【請求項３】
内行き規制部が設けられず、取付体が取りつけられたベルトや壁などの取付体取付け部が内行き規制部として機能するものであることを特徴とする請求項２記載のＴ字形部材用ホルダ。
【請求項４】
ヘッド保持部、取付体が一本の金属製棒部材を折り曲げることによって形成されたものであることを特徴とする請求項１、２、３のいずれか1項に記載のＴ字形部材用ホルダ。
【請求項５】
ヘッド保持部、取付体、内行き規制部が一本の金属製棒部材を折り曲げることによって形成されたものであることを特徴とする請求項１、２のいずれか1項に記載のＴ字形部材用ホルダ。
【発明の詳細な説明】
【技術分野】
【０００１】
本発明は、Ｔ字形ハンマーやＴ字形ラチエットレンチ、Ｔ字形充電ドライバー、十字レンチなどのヘッド部位と棒体から構成されるＴ字形工具ないしＴ字部位（棒体に当る部位の上部に位置する部位の下部の左と右に第１のヘッド載り部位と第２のヘッド載り部位に載る部位が形成された形態など）を有する工具や、ホーク、スプーンなどのＴ字部位を有する食器、肉たたきなどのＴ字形調理具など、Ｔ字形形態の部材ないしＴ字部位を有するＴ字形部材を着脱自在に保持するのに適したＴ字形部材用ホルダに関する。
【背景技術】
【０００２】
従来、Ｔ字形部材用ホルダであるハンマーのホルダであるハンマーホルダとして次のようなものが知られている。
（１）腰バンドに取り付ける取付体と、この取付体の正面に２本のひっかけ杆の上端部を並べて止着し、この２本のひっかけ杆の中程を円弧状に下向き湾曲してレンチ受け部を形成し、このレンチ受け部の左右の上向き遊離端を夫々内側に折り曲げして対抗端を形成して、レンチ受け部の並設間隔をレンチの首部の幅より少し幅広くし、対抗端の間隔をレンチの棒体の幅より少し幅広くし且つレンチの首部の幅より幅狭く形成し、２本のひっかけ杆の間には棒体を下方垂れ状態から垂直立て状態に回動自在とする棒体回動自在空間が形成されてなる腰バンド用ラチエットレンチ装着具が開示されている。（例えば特許文献１）
（２）腰バンドに装着される取付体と、この取付体の正面に設けられた略Ｔ字状のハンマー、ラチエットレンチ等のＴ字形工具のヘッド部位を下方から支持して工具を吊り下げ状態に保持する工具保持部とからなり、前記工具保持部が、棒体の首部の外径より大なる間隔をおいて水平方向に対向状に配置された一対の保持部材からなり、一方の保持部材はその上部に少なくとも棒体の首部の出入りを許容する開口部を備えた開口保持部材とされ、他方の保持部材はヘッド部位を周方向に抱持しうる輪形状に形成された輪保持部材とされ、前記一対の保持部材の間には棒体を下方垂れ状態から垂直立て状態に回動自在とする棒体回動自在空間が形成されてなる工具ホルダが開示されている。（例えば特許文献２）
【先行技術文献】
【特許文献】
【０００３】
【特許文献１】実開平０３−４４５７４号公報
【特許文献２】特開平７-２９９７７２号公報
【非特許文献】
【０００４】
【非特許文献１】特になし
【発明の概要】
【発明が解決しようとする課題】
【０００５】
上述した従来技術は、次に述べるような欠点があった。
（１）特許文献１の発明は、レンチ受け部の上方が開放された形態であるので、レンチヘッドが持ち上がると簡単にレンチ受け部からレンチヘッドが外れてしまうという欠点を有するものであった。
（２）特許文献２の発明は、一方の保持部材はその上部に少なくとも棒体の首部およびヘッド部位の出入りを許容する開口部を備えた開口保持部材とされ、他方の保持部材はヘッド部位を周方向に抱持しうる輪形状に形成された輪保持部材とされ、開口保持部材と輪保持部材の間には棒体を上下に回動自在とする棒体回動空間が形成された構成であるので、入れるときはＴ字形工具をヘッド部位を下にして真っ直ぐに立て、まず開口保持部材にヘッド部位を載せてから輪保持部材に水平移動させてヘッド部位の一方の側を入れ、棒体を下に回し下げ、外すときはこの逆の操作を行うというものである。
よって、棒体を垂直に立ち上げるまでは工具を外すことができないものであるため、外す場合にあっては、一方の手で棒体を握り持ち上げその手で棒体の握りを替えて外し、他方の手に持ち替えてハンマーを使用できる握りに一方の手に握り替えるという操作を市泣けばならないという欠点を有するものであった。
また、腰右側に装着している場合と腰左側に装着している場合とでの、輪保持部材ハンマーの抜き挿し操作は腰右側は前方に移動させて抜くのであるが、腰左側では後方に移動させ抜かなければならないという欠点を有するものであった。
また、棒体が棒体回動空間より細い場合は、開口保持部材の上部はヘッド部位を抑えるものがないので、身体動作に伴いヘッド部位が持ち上がり棒体が前後に振れるという欠点を有するものであった。
【０００６】
本発明は以上のような従来技術の欠点に鑑み、特にヘッド部位が容易には外れることがない安全性を確保するとともに、片手でハンマーをそのまま使用できる握り状態で該ハンマーの取り付け（装着）と外しを、握りを変えることなく素早く容易に行えるＴ字形部材用ホルダを提供することを目的としている。
また、本願の目的は、ハンマー、ラチェットレンチ、十字レンチなどの工具に限定することなく、食器具、調理具などのＴ字形ないしＴ字部位を有するＴ字形部材を保持するＴ字形部材用ホルダを提供することを目的としている。
【課題を解決するための手段】
【０００７】
上記目的を達成するために、本発明は次に述べるような構成としている。
＜請求項１記載の発明＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなることを特徴とするＴ字形部材用ホルダ。
「外側」「内側」「前」「後」の方向位置関係は図１に示している。
「棒体の上部に設けられた該棒体よりも両側に幅の広いないし部位を形成しているヘッド部位とからなる・・・Ｔ字形部材」とは、Ｔ形ハンマーやＴ字形ラチエットレンチ、Ｔ字形充電ドライバー、十字レンチなどのヘッド部位と棒体から構成されるＴ字形工具、Ｔ字形安全カミソリなどの生活用品、棒体から見て引っ掛かる顎を両側に有するホーク、スプーンなどの、棒体よりも両側に突出する幅の広い部位を形成しているヘッド部位を有する部材をいう。
「前記第１、第２のヘッド載り部位側ないし前記連絡部側に設けられた、あるいは前記第１、第２のヘッド載り部位側ないし前記連絡部側に位置された、」とは、内行き規制部が、第１、第２のヘッド載り部位の間に設けられた形態、第１、第２のヘッド載り部位の上部あるいは下部に設けられた形態、連絡部に設けられた形態、連絡部の上部あるいは下部に設けられた形態、第１、第２のヘッド載り部位の上方あるいは下方に位置するように設けられた形態、あるいは連絡部の上方あるいは下方に位置するように設けられた形態などをいう。
＜請求項２記載の発明＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体の上部から外側に突出するように設けられた、前記第１のヘッド下面を載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記取付体の上部から外側に突出するように設けられた、前記ヘッド部位の前記第２のヘッド下面を載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部と前記取付体の間に形成された、前記ヘッド部位を前記ヘッド保持部に出し入れするためのヘッド出し入れ開口部と、
前記取付体の上部側あるいは該取付体の外側で該取付体に近接する位置に設けられた、前記ヘッド保持部に保持状態にある前記ヘッド部位ないし下がり状態にある前記棒体の内側への動きを規制する内行き規制部とからなるとともに、
第１のヘッド載り部位および第２のヘッド載り部位の上面が前記取付体が、取りつけられたベルトや壁などの取付体取付け部の上部面と略同じ程度かそれより上方に位置するようにしてなることを特徴とするＴ字形部材用ホルダである。
＜請求項３記載の発明＞
内行き規制部が設けられず、取付体が取りつけられたベルトや壁などの取付体取付け部が内行き規制部として機能するものであることを特徴とする請求項２記載のＴ字形部材用ホルダである。
＜請求項４記載の発明＞
ヘッド保持部、取付体が一本の金属製棒部材を折り曲げることによって形成されたものであることを特徴とする請求項１、２、３のいずれか1項に記載のＴ字形部材用ホルダである。
＜請求項５記載の発明＞
ヘッド保持部、取付体、内行き規制部が一本の金属製棒部材を折り曲げることによって形成されたものであることを特徴とする請求項１、２のいずれか1項に記載のＴ字形部材用ホルダである。
【発明の効果】
【０００８】
以上の説明から明らかなように、本発明にあっては次に列挙する効果が得られる。
＜請求項１記載の発明の効果＞
腰ベルトに装着したハンマーホルダとしての使用形態例でその効果を説明する。
ハンマーのヘッド部位がヘッド保持部に保持状態にある場合にあっては、ヘッド部位ないし棒体が内側に移動しようとしても内行き規制部に当り内側に行くのが規制（阻止）され、上方に移動しようとしても第１、第２のヘッド上面規制部に当って上方に外れるのが規制（阻止）され、外側に移動しようとしても第１、第２のヘッド側面規制部に当って外側に外れるのが規制（阻止）され、前後に移動しようとしても第１、第２のヘッド載り部位に棒体が当って前後に外れるのが規制（阻止）される状態になる。
すなわち、ヘッド部位の六方が完全に塞がれたヘッド保持部から逃れられない保持形態を実現（図４の下図参照）する。
同時に、棒体（ハンマーでは柄）を一方の手で例えばハンマー撃ち握り形態で握って少し起こし回動して、内側に押すようにしてヘッド部位をヘッド保持部からヘッド出し入れ空間部に移動させ、そのままヘッド部位を押し上げて、第２のヘッド出し入れ開口部から外に出すことができる。すなわち、棒体（柄）を握った手を離すことなく向きを変えることなく少しの持ち上げ操作により素早く簡単に取り出すことができる。
また、入れる場合は、第２のヘッド出し入れ空間部にヘッド部位を入れて手を離せば、棒体（柄）ないしヘッドが内行き規制部に当り、棒体（柄）は内行き規制部を支点にして自重で倒れ回動して（図３、４参照）、ヘッド部位をヘッド保持部に進めながら下がり状態となって、装着（取付）完了となる。
よって、ハンマー撃ち握り状態の一方の手のみでハンマーの取付と外しが簡単素早くできるとともに、取付状態にあってはハンマーが外れることが無い安全なＴ字形部材用ホルダを実現するという効果を奏する。
特に、素早く抜きそのままの握りでハンマー操作が行えるところがよいところである。
また、腰バンドに使用する場合にあっては、ヘッド保持部の前後部位である第１のヘッド保持部と第のヘッド保持部の形態は同じであるので、右腰でも左腰でも同じように使用でき同じ操作となる。
また、棒体回動空間部より棒体が細い場合でも、ヘッド部位の上部前後は第１のヘッド上面規制部と第２のヘッド上面規制部により、持ち上がりが阻止されているので、棒体が前後への振れが規制されるという効果を奏する。
＜請求項２記載の発明の効果＞
ベルトや壁などの取付体取付け部よりも第１のヘッド載り部位および第２のヘッド載り部位の上面が位置しているので、ハンマーなどのヘッド部位はヘッド出し入れ開口部から前記取付体取付け部よりも内側に抜けさせ取り外すことができるものであり、このような構成としても、取付体取付け部内側にハンマーなどのヘッド部位が抜ける空間があるものや、ヘッド部位で押して空間を形成できる場合において使用できるものであり、このような使用可能形態においては請求項１記載の発明と同様な効果を奏する。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできるという効果を奏する。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にするという効果を奏する。
また、Ｔ字形部材が身体に近くなるので振れが少なくなり、携行が安定する。
＜請求項３記載の発明の効果＞
内行き規制部をベルトや壁などの取付体取付け部としているので、このような構成としても、請求項２記載の発明と同様な効果を奏する。
第２のヘッド出し入れ開口部および内行き規制部を有しない形態であっても、腰ベルトに取付体を取り付けた状態にあって、該腰ベルトの上部縁が内行き規制部として機能し、かつ、第１、第２のヘッド上面規制部と身体（脇腹）との間には隙間が無かったり僅かの隙間が在る程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にするという効果を奏する。
また、Ｔ字形部材が身体に近くなるので振れが少なくなり、携行が安定する。
＜請求項４記載の発明の効果＞
請求項１、２、３のいずれか1項に記載の発明と同様な効果を奏するとともに、ヘッド保持部、取付体が一本の金属製棒部材を折り曲げによる構成であるので、安価にできるという効果を奏する。
＜請求項５記載の発明の効果＞
請求項１、２のいずれか1項に記載の発明と同様な効果を奏するとともに、内行き規制部が第１、第２の連絡部ないし第１、第２のヘッド載り部位と非接合形態の分離した形態となるので、第１、第２の連絡部、第１、第２のヘッド載り部位および第１、第２のヘッド上面規制部の間隔幅を広げたり狭めたりすることが自在にできるものである。これによって、より多様な幅や太さの柄に対応したものにできるという効果を奏する。
また、全ての部位が一本の金属製棒部材を折り曲げによる構成であるので、安価にできるという効果を奏する。
【図面の簡単な説明】
【０００９】
【図１】本発明の実施例１の斜視図。
【図２】本発明の実施例１の側面図。
【図３】本発明の実施例１のハンマー装着手順図。
【図４】本発明の実施例１のハンマー装着手順図。
【図５】本発明の実施例１の正面図、左側面図、右側面図、平面図底面図。
【図６】本発明の実施例１の斜視図。
【図７】本発明の実施例２の側面図および正面図。
【図８】本発明の実施例３の斜視図。
【図９】本発明の実施例４の斜視図。
【図１０】本発明の実施例５の斜視図。
【図１１】本発明の実施例６の斜視図。
【図１２】本発明の実施例７の斜視図。
【図１３】本発明の実施例８の斜視図。
【図１４】本発明の実施例９の側面図および内行き規制部の斜視図。
【図１５】本発明の実施例１０の使用状態側面図および斜視図。
【図１６】本発明の実施例１１の使用状態側面図および異なる使用状態側面図。
【図１７】本発明の実施例１１の組立分解斜視図。
【図１８】本発明の実施例１２の組立分解斜視図。
【図１９】本発明の実施例１３の使用状態側面図および斜視図。
【図２０】本発明の実施例１４の使用状態側面図および斜視図。
【図２１】本発明の実施例１５の使用状態側面図および斜視図。
【図２２】本発明の実施例１６の使用状態側面図および斜視図。
【図２３】本発明の実施例１７の使用状態斜視図。
【図２４】本発明の実施例１８の斜視図。
【図２５】本発明の実施例１８の使用状態斜視図。
【図２６】本発明の実施例１９の斜視図。
【図２７】本発明の実施例２０の側面図。
【図２８】本発明の実施例２１の斜視図。
【図２９】本発明の実施例２２の斜視図。
【図３０】本発明の実施例２１の斜視図。
【図３１】本発明の実施例２１の斜視図。
【発明を実施するための形態】
【００１０】
以下、本発明を実施するための形態である実施例を説明する。但し、本発明をそれらに限定する趣旨のものではない。また、後述する実施例の説明において前述した実施例と同じ構成には同じ符号を付しその説明を省略する。
【実施例１】
【００１１】
図１〜図６に示す本発明を実施するための最良の第１の実施の形態において、１はＴ字形部材用ホルダであって、ハンマーの保持に適したＴ字形部材用ホルダ１は次に述べるような構成となっている。
Ｔ字形部材用ホルダ１に装着（取り付ける）のはヘッド部位２と棒体３から構成されるＴの字形態をしたＴ字形部材４（ここではハンマー）である。
Ｔ字形部材用ホルダ１は、腰ベルト５に装着する一本の金属棒部材をＵ字形態に曲げ形成した取付体本体６と、
この取付体本体６の上部を下方に折り曲げ形成した立ち下がり部７ａ、７ｂと、
この立ち下がり部７ａ、７ｂと取付体本体６の間に形成されたベルト通部８ａ、８ｂと、
立ち下がり部７ａ、７ｂ、取付体本体６とからなる取付体２０と、
立ち下がり部７ａ、７ｂを外側に折り曲げて形成した連絡部９ａ、９ｂと、
この連絡部９ａから外側に向けて設けられた前記ヘッド部位２の一方を載せるヘッド載り部位１０ａ、このヘッド載り部位１０ａから立ち上がるように設けられた、該ヘッド載り部位１０ａに載っている前記ヘッド部位２の外側に位置するヘッド側面規制部１１ａ、このヘッド側面規制部１１ａから内側に向けて設けられた、前記ヘッド載り部位１０ａに載っている前記ヘッド部位２の上方に位置するヘッド上面規制部１２ａとからなるヘッド保持部１３ａと、
前記連絡部９ｂから外側に向けて設けられた前記ヘッド部位２の他方を載せるヘッド載り部位１０ｂ、このヘッド載り部位１０ｂから立ち上がるように設けられた、該ヘッド載り部位１０ｂに載っている前記ヘッド部位２の外側に位置するヘッド側面規制部１１ｂ、このヘッド側面規制部１１ｂから内側に向けて設けられた、前記ヘッド載り部位１０ｂに載っている前記ヘッド部位の上方に位置するヘッド上面規制部１２ｂとからなるヘッド保持部１３ｂと、
前記ヘッド保持部１３ａと前記ヘッド保持部１３ｂからなるヘッド保持部１３と、
前記ヘッド保持部１３ａと前記ヘッド保持部１３ｂの間に形成された、前記ヘッド部位２が前記ヘッド保持部１３に保持されている状態にあっては前記棒体３の下がり状態を形成し且つ該棒体３を回動自在とする棒体回動空間部１４と、
前記ヘッド上面規制部１２ａと前記ヘッド上面規制部１２ｂの端部間に形成された前記棒体３の出し入れをするための、前記棒体回動自在空間１４と連絡した棒体出し入れ開口部１５と、
この棒体出し入れ開口部１５と連絡し該棒体出し入れ開口部１５の下方に形成された、前記ヘッド部位２を前記ヘッド保持部１３に出し入れするためのヘッド出し入れ開口部１６と、
前記棒体出し入れ開口部１５と連絡し該棒体出し入れ開口部１５の内側で前記連絡部９ａ、９ｂの上方に形成された、前記ヘッド部位２を出し入れするためのヘッド出し入れ開口部１７と、
前記連絡部９ａ、９ｂの上方で前記ヘッド保持部１３の内側に形成された、前記棒体出し入れ開口部１５、前記ヘッド出し入れ開口部１６および前記ヘッド出し入れ開口部１７に連絡したヘッド出し入れ空間部１８と、
前記ヘッド保持部１３の下方側、前記連絡部９ａ、９ｂ側あるいは該ヘッド保持部１３の下方側と前記連絡部９ａ９ｂの中間に設けられた、前記ヘッド保持部１３に保持状態にある前記ヘッド部位２から垂れ下がり状態にある前記棒体３ないしヘッド部位２が当ってそれ以上内側に行くのを阻止するための内行き規制部１９とからなっている。
【００１２】
ヘッド部位２がヘッド保持部１３に保持状態にある場合にあっては、棒体３ないしヘッド部位２が内側に移動しようとしても内行き規制部１９に当り内側に行くのが阻止（規制）されたヘッド部位保持状態にあり、このヘッド部位保持状体にあってのヘッド部位２は、上方に移動しようとしてもヘッド上面規制部１２ａおよびヘッド上面規制部１２ｂに当って上方に外れるのが阻止され、外側に移動しようとしてもヘッド側面規制部１１ａおよびヘッド側面規制部１１ｂに当って外側に外れるのが阻止され、内側に移動しようとしても棒体３が内行き規制部１９に当り内側に行くのが阻止され、前後に移動しようとしてもヘッド載り部位１０ａおよびヘッド載り部位１０ｂに棒体３が当って前後に外れるおよび振れるのが阻止されるという、六方が完全に塞がれたヘッド部位２がヘッド保持部１３から容易には逃れられない保持形態を実現（図４の下図）するとともに、棒体３を一方の手で例えばハンマー撃ち握り状態の握り起こし回動させて、ヘッド部位２をヘッド保持部１３からヘッド出し入れ空間部１８に押し上げ移動させ、そのままヘッド部位２を持ち上げヘッド出し入れ開口部１７から外に出すことができ、入れる場合はこの逆の操作を行えばよい。
入れる場合にあっては、ヘッド出し入れ空間部１８にヘッド部位２を入れて手を離せば、棒体３は内行き規制部１９を支点にして自重で下がり回動してヘッド部位２をヘッド保持部１３に進めながら垂れ下がり状態となって、装着（取付）完了となる（図３、４参照）。
よって、ハンマー撃ち握り状態の一方の手のみでＴ字形部材４（ハンマー）の取付と外しが簡単素早くできるとともに、取付状態にあってはハンマーが外れることが無い安全なＴ字形部材用ホルダ１を実現しているものである。
【００１３】
連絡部９ａ、９ｂの間には連絡部空間が形成されており、該連絡部空間にはドライバー、スパナーなどの工具を差し込み簡易的に保持することができるので、作業性がよくなり便利である。
連絡部は水平に限られるものではなく、斜め上がり、斜め下がり、湾曲形態など多様な形態を採用することができる。
また、ドライバー、ペンチなどの工具を差し込み保持する革性の工具ホルダの上部に横長リングを通し、この横長リングをヘッド上面規制部１２ａ、１２ｂに通し、該横長リングを連絡部９ａ、９ｂ上に位置させ革性の工具ホルダを下げた状態にして使用できる。
【実施例２】
【００１４】
図７に示す本発明の実施例２において前記実施例１と主に異なる点は、取付体本体６を水平に外側に折り曲げて連絡部９ａ、９ｂを形成し、立ち下がり部をＵの字形態（下の角の湾曲は小さい）の立ち下がり部２４として、該立ち下がり部２４を連絡部９ａ、９ｂの下に溶接して設けてなるＴ字形部材用ホルダ２５を形成した点にある。
このような構成とすることにより、ヘッド保持部１３はベルトの上部側という腰高に位置するので、Ｔ字形部材も高い位置となり、取り付け操作（装着操作）と外し操作が行いやすくなるとともに、棒体が下から押し起こされる機会が大幅に減少させることができ、足の腿への当り部分もあがるので腿に当っての外側への振れも小さくなる。
【実施例３】
【００１５】
図８に示す本発明の実施例３において前記実施例１と主に異なる点は、射出成形による合成樹脂製部材でＴ字形部材用ホルダ２８を形成した点にある。
連絡部は一枚プレートとからなる連絡部２９としている。ベルト通部は貫通孔からなるベルト通し部３０となっている。
【００１６】
一枚の金属製板部材を所定の形状に打抜き、それを所定の形状に折り曲げ形成してもＴ字形部材用ホルダ２８と同じ形態のものを形成でき、この形態もよい。
【実施例４】
【００１７】
図９に示す本発明の実施例４において前記実施例１と主に異なる点は、取付体本体を幅広形態とした取付体本体３３としてなるＴ字形部材用ホルダ３４を形成した点にある。
枠体である取付体本体３３が幅広となったことで、腰骨の側方に突き出した部分である腸骨稜が取付体本体３３内に収まるので、装着感が違和感なく良く且つ安定感ある装着を実現する。
【実施例５】
【００１８】
図１０に示す本発明の実施例５において前記実施例１と主に異なる点は、取付体をベルトクリップからなる取付体４０とし、この取付体４０に連絡部９ａ、９ｂ側を溶接により固定してなるＴ字形部材用ホルダ４１を形成した点にある。
【実施例６】
【００１９】
図１１に示す本発明の実施例６において前記実施例２と主に異なる点は、取付体本体６の上部に立ち上げ体４３を設け、この立ち上げ体４３の上部を外側に水平に折り曲げて台部４４を形成し、この台部４４に永久磁石４５を載置し、台部４４と上面規制部１２ａおよび上面当り部１２ｂとの間にヘッド部位２を出し入れするヘッド出し入れ開口部４６を形成してなるＴ字形部材用ホルダ４７を形成した点にある。
永久磁石４５に磁着性のある釘、ビス、ステップルなどを多数磁着保持させて、あるいはスパナーなどの小さな工具を磁着させて作業を効率的に進めることができるので大変便利である。
また、ヘッド保持部１３にヘッド部位２が保持されている状態で、棒体３が大きく起き回動しても該棒体３は台部４４に当りヘッド部位２は下向きの力が加わり連絡部９ａ、９ｂに押し付けられ、且つ、棒体２の首前後は上面規制部１２ａおよび上面当り部１２ｂによって前後に行くのを阻止されるので、棒体２が大きく起き回動しても工具がホルダから外れることがないという効果を奏する。
ヘッド部位２を入れる操作は、棒体３を水平ないしそれより少し下向きでヘッド部位をヘッド出し入れ開口部４６から内側に向けて入れ、手を離すと棒体３は自然に降り回動してヘッド部位３はヘッド保持部１３に収まり装着は完了する。
ヘッド部位２を抜く（外す、取り出す）操作は、棒体３を片方の手で親指を上内側にして握り、ヘッド部位２を内側に移動させ持ち上げておいて引き出すことにより取り出す。
【実施例７】
【００２０】
図１２に示す本発明の実施例６において前記実施例１と主に異なる点は、ヘッド上面規制部１２ａ１２ｂに着脱可能に装着するゴム円筒製のアダプター５０ａ、５０ｂを設け、あるいは添付して、前記アダプター５０ａ、５０ｂをヘッド上面規制部１２ａ１２ｂに装着することによって、ヘッド部位２が位置するヘッド保持部１３の空間の上下距離を短くできるようにしたＴ字形部材用ホルダ５１を形成した点にある。
アダプター５０ａ、５０ｂと同様な形態でヘッド載り部位１０ａ、１０ｂが嵌り込むための切り込みないし溝を設けたものでもよい。
【実施例８】
【００２１】
図１３に示す本発明の実施例８において前記実施例３と主に異なる点は、取付体を一枚のプレートからなる取付体５３にし、該取付体５３にネジ通し孔５４を数カ所設け、該ネジ通し孔５４にビス５５によって、壁（図示せず省略）に固定して使用するＴ字形部材用ホルダ５６を形成した点にある。
これは、例えば、自動車の車内の足下壁に固定し、脱出の際に窓ガラスを割るためのヘッド部位５７の先端の尖ったハンマーであるＴ字形部材５８を保持しておく使用方法が考えられる。素早く簡単に外して使用できる。
【実施例９】
【００２２】
図１４に示す本発明の実施例９において前記実施例１と主に異なる点は、内行き規制部を、連絡部９ａ、９ｂおよびヘッド載り部位１０ａ、１０ｂの上に着脱可能に装着する硬質ゴム製部材からなる内行き規制部６０としたＴ字形部材用ホルダ６１を形成した点にある。
内行き規制部６０は、四角形の阻止部本体６６と、この阻止部本体５１の低い（薄い）側を形成している低いヘッド載り部位６２と、阻止部本体５１の高い（厚い）側を形成している高い部位ヘッド載り部位６３と、阻止部本体５１の底部に形成された連絡部９ａ、９ｂおよびヘッド載り部位１０ａ、１０ｂが嵌る嵌り溝６４ａ、６４ｂと、棒体３が入る棒体は入部６５ａ、６５ｂとからなっている。
内行き規制部６０の向きを変えることによって、ヘッド載り部位１０ａ、１０ｂの高さを変えることができ、幅広くヘッド部位に対応できる。
【００２３】
内行き規制部が、第１のヘッド載り部位と第２のヘッド載り部位に跨って載るあるいは連絡部に跨って載る幅の第１の阻止部材と、この第１の阻止部材よりも厚みのある第２の阻止部材と、この第２の阻止部材と前記第１の阻止部材を前記第１、第２のヘッド載り部位を挟む形態あるいは連絡部を挟む形態で着脱可能形態に結合する結合手段とからなることを特徴とするＴ字形部材用ホルダ。
内行き規制部のセット位置を好みの位置に調節することができるとともに、厚みのある第２の阻止部材を上にそれより薄い第１の阻止部材を下にして結合した形態とし、また、第１の阻止部材を上に第２の阻止部材を下にして結合した形態とした取付け選択できるので、保持するヘッド部位の大きさ、形態等に対応した調節ができるので、特に大きさの異なるヘッド部位への対応範囲の広いＴ字形部材用ホルダを実現する。
【００２４】
第１、第２のヘッド載り部位あるいは第１、第２のヘッド上面規制部に着脱可能に装着するアダプターを設け、あるいは添付して、前記アダプターを第１、第２のヘッド載り部位あるいは前記第１、第２のヘッド上面規制部に装着することによって、ヘッド保持部のヘッド部位が位置する空間の上下距離を短くできるようにしたことを特徴とするＴ字形部材用ホルダ。
アダプターのない場合は大きなヘッド部位のものを取付けられ、アダプターを装着した場合はヘッド部位の小さいものを取り付けられるで、対応するヘッド部位の範囲が広くなる。
【実施例１０】
【００２５】
図１５に示す本発明の実施例１０において前記実施例１と主に異なる点は、取付体を連絡部９ａ、９ｂを下方に向けて折り曲げ、次に外側に向けて折り曲げ、次に上に向けて折り曲げてベルト通し部６８ａ６６８ｂを形成してなる取付体本体６９とした取付体７０を形成し、これによってＴ字形部材用ホルダ７１を形成した点にある。
この結果、連絡部９ａ、９ｂおよびヘッド載り部位１０ａ、１０ｂが前記取付体７０の上部に位置され、よって、腰ベルト（図示せず省略）に前記取付体７０を装着した状態にあっては、連絡部９ａ、９ｂおよびヘッド載り部位１０ａ、１０ｂの高さ位置が腰ベルトの上部と略同じ高さ位置かそれより高い位置とした形態を実現しているものである。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
【実施例１１】
【００２６】
図１６、１７に示す本発明の実施例１１において前記実施例１０と主に異なる点は、内行き規制部を、ヘッド載り部位１０ａ、１０ｂに跨って載るあるいは連絡部９ａ、９ｂに跨って載る幅の阻止部材７３と、この阻止部材７３よりも厚みのある阻止部材７４と、この阻止部材７４と前記阻止部材７３を前記ヘッド載り部位１０ａ、１０ｂを挟む形態あるいは連絡部９ａ、９ｂを挟む形態で着脱可能形態に結合するボルト７５とナット７６からなる結合手段７７とから内行き規制部７８として、取付体本体６９を金属板７９で溶接結合一体化してなるＴ字形部材用ホルダ８０を形成した点にある。
阻止部材７３には上下に貫通するネジ通し孔８１が設けられ、図面で上で上面にヘッド載り部位１０ａ、１０ｂが入る凹部８２ａ、８２ｂが設けられている。
阻止部材７４には上下に貫通するネジ通し孔８３が設けられ、図面上で下面にヘッド載り部位１０ａ、１０ｂが入る凹部８４ａ、８４ｂにている。８５はワッシャー。
結合手段は、粘着テープ、面ファスナー帯体、クリップ、ゴム輪など多様な手段がある。
ネジ通し孔８１、ネジ通し孔８３は二箇所以上設け、二本以上のボルトで締めるのも良い。
【実施例１２】
【００２７】
図１８に示す本発明の実施例１２において前記実施例１１と主に異なる点は、取付体を、金属板７９を設けず、ベルト通し部６８ａ、６８ｂを形成している外側立ち上がり部８７ａ、８７ｂの上部で折り曲げ幅決めをしている連絡部である幅決め連絡部８８によって連絡された取付体８９とし、かつ、内行き規制部７８以外の部位が一本の金属製棒部材の折り曲げによって形成した、Ｔ字形部材用ホルダ９０を形成した点にある。
【実施例１３】
【００２８】
図１９に示す本発明の実施例１３において前記実施例１１と主に異なる点は、離れ部９ａ、９ｂを短くし取付体８９をヘッド保持部１３に距離が近い構成とし、内行き規制部を幅決め連絡部８８による内行き規制部９２としたＴ字形部材用ホルダ９３を形成した点にある。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、むしろこれによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
また、Ｔ字形部材が身体に近くなるので振れが少なくなり、携行が安定する。
【実施例１４】
【００２９】
図２０に示す本発明の実施例１４において前記実施例１３と主に異なる点は、取付体を連絡部９ａ、９ｂを下方に向け折り曲げ、次に内側に向けて折り曲げ、次に上方に向けて折り曲げてベルト通し部６８ａ、６８ｂを形成してなる取付体本体９５とした取付体９６を形成し、さらに外側に向けて折り曲げ、幅決め連絡部８８を連絡部９ａ、９ｂないしヘッド載り部位１０ａ、１０ｂの上部に位置させて、該幅決め連絡部８８を内行き規制部９２としたＴ字形部材用ホルダ９７を形成した点にある。
【実施例１５】
【００３０】
図２１に示す本発明の実施例１５において前記実施例１３と主に異なる点は、ヘッド上面規制部１２ａ、１２ｂを内側に延長して離れ部９ａ、９ｂの上方にまで位置させた形態とし、よって、ヘッド出し入れ開口部１７を有しない形態のＴ字形部材用ホルダ１００を形成した点にある。
連絡部９ａ、９ｂおよびヘッド出し入れ開口部１７を有さない形態で、かつ、ヘッド載り部位１０ａ、１０ｂが取付体の上部に位置されるという形態によって、ヘッド上面規制部１２ａ、１２ｂと身体（脇腹）との間には使用者の身体形態によって隙間が無かったり僅かの隙間がある程度になるが、ヘッド部位の出し入れは身体（脇腹）を押し凹ませてヘッド出し入れ開口部１７に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にする。
【実施例１６】
【００３１】
図２２に示す本発明の実施例１６において前記実施例１０と主に異なる点は、内行き規制部を設けない（有さない）構成とし、取付体を内側面で金属板１０３によって幅決め熔接結合して全体を一体化し、ヘッド上面規制部１２ａ、１２ｂを内側に延長して離れ部９ａ、９ｂの上方に位置させた形態とし、よって、ヘッド出し入れ開口部１７を有しない形態であり、かつ、腰ベルト（図示せず省略）に取付体７０を取り付けた状態にあって、腰ベルトの上部縁が内行き規制部として機能されるようにしてなるＴ字形部材用ホルダ１０４を形成した点にある。
第２のヘッド出し入れ開口部および内行き規制部を有しない形態であっても、腰ベルトに取付体を取り付けた状態にあって、該腰ベルトの上部縁が内行き規制部として機能され、かつ、第１、第２のヘッド上面規制部と身体（脇腹）との間には隙間が無かったり僅かの隙間がある程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にしている。
【実施例１７】
【００３２】
図２３に示す本発明の実施例１７において前記実施例１と主に異なる点は、ヘッド部位１０６、棒体１０７とからなる充電式ドライバーであるＴ字形部材１０８を装着するＴ字形部材用ホルダ１０９を形成した点にある。
１１０ａ、１１０ｂはベルト通部８ａ、８ｂの着脱自在形態で塞ぐ開閉式環部材である。
開閉式環部材に変えて着脱できない環部材（八の字形リング、ニ連リングが持ち上げても上部で外れることが無いのでよい）を移動自在に設ける形態もよい。この形態では、腰ベルト（図示せず省略）を腰に装着したままの状態でＴ字形部材用ホルダ１０９を上から押し下げてベルト通部８ａ、８ｂの下部から入れ、環部材を押し上げて装着し、腰ベルトを腰に装着したままＴ字形部材用ホルダ１０９を持ち上げ外すことが自在にできるとともに、環部材を下にして腰に装着しない状態で腰ベルトをベルト通部８ａ、８ｂに通して、外れない形態で装着することができる。
【実施例１８】
【００３３】
図２４、図２５に示す本発明の実施例１８において前記実施例１と主に異なる点は、内行き規制部を取付体本体６を連絡部９ａ、９ｂより下方の部位を外側に折り曲げないし折り曲げ傾斜上げ状態にして、その先端バー部分によって内行き規制部１１１としてなるＴ字形部材用ホルダ１１２を形成した点にある。
略同様な形態を１枚の金属板を打抜折り曲げて形成したものもよい。
【００３４】
内行き規制部１１１を連絡部９ａ、９ｂないしヘッド載り部位１０ａ、１０ｂに近接ないし当接させて、内行き規制部１１１と連絡部９ａ、９ｂないしヘッド載り部位１０ａ、１０ｂを熔接、結束バンドなどによって接合や連結するのがよい。こうすることによりヘッド載り部位１０ａ、１０ｂおよびヘッド上面規制部１２ａ、１２ｂが広がったり狭まったりすることが強く抑制される。
結束バンドや針金部材などによる連結では、内行き規制部１１１と連絡部９ａ、９ｂは離れていても可能であり、熔接の場合にも他の部材を渡しても可能である。
【００３５】
内行き規制部１１１の幅とヘッド上面規制部１２ａ、１２ｂ、ヘッド載り部位１０ａ、１０ｂの幅が異なるものもよい。例えば、ヘッド載り部位１０ａ、１０ｂを前後方向に広げた形態とすることにより、幅広ないし太い柄のものに対応可能となり、前後方向に狭めた形態とすることにより細い柄のものに対応可能とすることができる。すなわち、ヘッド載り部位１０ａ、１０ｂと内行き規制部１１１が非接合形態であるＴ字形部材用ホルダ１１２では、ヘッド載り部位１０ａ、１０ｂの前後方向への幅を容易に広げたり狭めたりできるので、より多様なＴ字形部材への対応が１つのもので可能とするものである。
ヘッド載り部位１０ａ、１０ｂの開き具合を形成してから、内行き規制部１１１と連絡部９ａ、９ｂないしヘッド載り部位１０ａ、１０ｂを熔接、結束バンドなどによって接合や連結するのもよい。
【実施例１９】
【００３６】
図２６に示す本発明の実施例１９において前記実施例１８と主に異なる点は、ヘッド上面規制部１２ａ、１２ｂのそれぞれの形成時に、それぞれの先端部位の余分な部位を所定の位置で折り上げ曲げた状態として、それから切断して曲げ上げ部１１３ａ、１１３ｂを形成したＴ字形部材用ホルダ１１４を形成した点にある。
先端が曲げられた湾曲形態となるので、ヘッド出し入れ開口部１７が少し広がりかつ湾曲面であるので、ヘッド部位の出し入れ操作が（特の出し操作）行い易い。
【実施例２０】
【００３７】
図２７に示す本発明の実施例２０において前記実施例１８と主に異なる点は、連絡部９ａ、９ｂ、ヘッド載り部位１０ａ、１０ｂ、ヘッド上面規制部１２ａ、１２ｂを内側に下り傾斜形態としたＴ字形部材用ホルダ１１５を形成した点にある。
Ｔ字形部材４の棒体３が内側（ベルト側）にある内行き規制部１１１に常に下り押し付け状態とされるので、外側に振れ難く保持安定性がよい。
【実施例２１】
【００３８】
図２８に示す本発明の実施例２１において前記実施例１８と主に異なる点は、取付体本体６のベルトの内側に位置する部位の内側に下方に突き出す形態のプレート１１６を設けてなるＴ字形部材用ホルダ１１７を形成した点にある。
プレート１１６によって、取付体本体６下方折り曲げ部位の角が腿に食い込む違和感を解消することができる。プレート１１６は金属板、合成樹脂製板、革板、安全ベルトなどと同じ素材でからなる織物製板部材など多様なものがある。
【実施例２２】
【００３９】
図２９に示す本発明の実施例２２において前記実施例２１と主に異なる点は、ヘッド上面規制部１２ｂの内側への長さがヘッド上面規制部１２ａより長く形成され、ヘッド側面規制部１１ａよりヘッド側面規制部１１ｂの方を短く形成してなるＴ字形部材用ホルダ１１８を形成した点にある。
こうすることにより、例えば、釘抜き部（あるいは壁等への孔あけのため尖った部位）と打ち叩き部からなるヘッドのＴ字形部材によりあった形態となり、振れが少なくより納まりのよい外れ難いものにできる。
【実施例２３】
【００４０】
図３０、３１に示す本発明の実施例２３において前記実施例１０と主に異なる点は、取付体本体６９からＴ字形部材４のヘッド部位２の内側面が当るヘッド内側面当り部１２０がヘッド上面規制部１２ａ、１２ｂより高い位置まで立ち上げられ、ヘッド内側面当り部１２０の上部が外側に曲がり延びた形態ないし他の部材を設けた形態でのヘッド部位２の上面が当るヘッド上面当り部１２１が設けられ、ヘッド上面当り部１２１の先端とヘッド上面規制部１２ａ、１２ｂの間にヘッド部位２が出入りするヘッド部位出入り開口１２２が形成されてなるＴ字形部材用ホルダ１２３を形成した点にある。
Ｔ字形部材４が押し上げられても、ヘッド部位２が殆どの場合、ヘッド内側面当り部１２０とヘッド上面当り部１２１に当って外れることが阻止されるので、より安全性の高いものにできる。
【産業上の利用可能性】
【００４１】
【符号の説明】
【００４２】
１：Ｔ字形部材用ホルダ、
２：ヘッド部位、
３：棒体、
４：Ｔ字形部材、
５：腰ベルト、
６：取付体本体
７ａ、７ｂ：立ち下がり部、
８ａ、８ｂ：ベルト通部、
９ａ、９ｂ：連絡部、
１０ａ：ヘッド載り部位、
１０ｂ：ヘッド載り部位、
１１ａ：ヘッド側面規制部、
１１ｂ：ヘッド側面規制部
１２ａ：ヘッド上面規制部、
１２ｂ：ヘッド上面規制部、
１３ａ：ヘッド保持部、
１３ｂ：ヘッド保持部、
１３：ヘッド保持部、
１４：棒体回動空間部、
１５：棒体出し入れ開口部、
１６：ヘッド出し入れ開口部、
１７：ヘッド出し入れ開口部、
１８：ヘッド出し入れ空間部、
１９：内行き規制部、
２０：取付体、
２４：立ち下がり部、
２５：Ｔ字形部材用ホルダ、
２８：Ｔ字形部材用ホルダ、
２９：連絡部、
３０：ベルト通し部、
３３：取付体本体、
３４：Ｔ字形部材用ホルダ、
４０：取付体、
４１：Ｔ字形部材用ホルダ、
４３：立ち上げ体、
４４：台部、
４５：永久磁石、
４６：第３のヘッド出し入れ開口部、
４７：Ｔ字形部材用ホルダ、
５０ａ、５０ｂ：アダプター、
５１：Ｔ字形部材用ホルダ、
５３：取付体、
５４：ネジ通し孔、
５５：ビス、
５６：Ｔ字形部材用ホルダ、
５７：ヘッド部位、
５８：Ｔ字形部材、
６０：内行き規制部、
６１：Ｔ字形部材用ホルダ、
６２：低いヘッド載り部位、
６３：高い部位ヘッド載り部位、
６４ａ、６４ｂ：嵌る嵌り溝、
６５ａ、６５ｂ：棒体は入部、
６６：阻止部本体、
６８ａ、９８ｂ：ベルト通し部、
６９：取付体本体、
７０：取付体、
７１：Ｔ字形部材用ホルダ、
７３：阻止部材、
７４：阻止部材、
７５：ボルト、
７６：ナット、
７７：結合手段、
７８：内行き規制部、
７９：金属板、
８０：Ｔ字形部材用ホルダ、
８１：ネジ通し孔、
８２ａ、８２ｂ：凹部、
８３：ネジ通し孔、
８４ａ、８４ｂ：凹部、
８５：ワッシャー、
８７ａ、８７ｂ：外側立ち上がり部、
８８：幅決め連絡部、
８９：取付体、
９０：Ｔ字形部材用ホルダ、
９２：内行き規制部、
９３：Ｔ字形部材用ホルダ、
９５：取付体本体、
９６：取付体、
９７：Ｔ字形部材用ホルダ、
１００：Ｔ字形部材用ホルダ、
１０３：金属板、
１０４：Ｔ字形部材用ホルダ、
１０６：ヘッド部位、
１０７：棒体、
１０８：Ｔ字形部材、
１０９：Ｔ字形部材用ホルダ、
１１１：内行き規制部、
１１２：Ｔ字形部材用ホルダ、
１１３ａ、１１３ｂ：曲げ上げ部、
１１４：Ｔ字形部材用ホルダ、
１１５：Ｔ字形部材用ホルダ、
１１６：プレート、
１１７：Ｔ字形部材用ホルダ、
１１８：Ｔ字形部材用ホルダ、
１２０：ヘッド内側面当り部、
１２１：ヘッド上面当り部、
１２２：ヘッド部位出入り開口、
１２３：Ｔ字形部材用ホルダ。
【図１】
2012135862.tif 000003
【図２】
2012135862.tif 000004
【図３】
2012135862.tif 000005
【図４】
2012135862.tif 000006
【図５】
2012135862.tif 000007
【図６】
2012135862.tif 000008
【図７】
2012135862.tif 000009
【図８】
2012135862.tif 000010
【図９】
2012135862.tif 000011
【図１０】
2012135862.tif 000012
【図１１】
2012135862.tif 000013
【図１２】
2012135862.tif 000014
【図１３】
2012135862.tif 000015
【図１４】
2012135862.tif 000016
【図１５】
2012135862.tif 000017
【図１６】
2012135862.tif 000018
【図１７】
2012135862.tif 000019
【図１８】
2012135862.tif 000020
【図１９】
2012135862.tif 000021
【図２０】
2012135862.tif 000022
【図２１】
2012135862.tif 000023
【図２２】
2012135862.tif 000024
【図２３】
2012135862.tif 000025
【図２４】
2012135862.tif 000026
【図２５】
2012135862.tif 000027
【図２６】
2012135862.tif 000028
【図２７】
2012135862.tif 000029
【図２８】
2012135862.tif 000030
【図２９】
2012135862.tif 000031
【図３０】
2012135862.tif 000032
【図３１】
2012135862.tif 000033
【手続補正書】
【提出日】平成23年12月29日(2011.12.29)
【手続補正１】
【補正対象書類名】特許請求の範囲
【補正対象項目名】全文
【補正方法】変更
【補正の内容】
【特許請求の範囲】
【請求項１】
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなるとともに、
ヘッド保持部、取付体、内行き規制部が一本の金属製棒部材を折り曲げることによって形成されたものであることを特徴とするＴ字形部材用ホルダ。
【請求項２】
取付体からＴ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とする請求項１記載のＴ字形部材用ホルダ。
【手続補正２】
【補正対象書類名】明細書
【補正対象項目名】全文
【補正方法】変更
【補正の内容】
【発明の詳細な説明】
【技術分野】
【０００１】
本発明は、Ｔ字形ハンマーやＴ字形ラチエットレンチ、Ｔ字形充電ドライバー、十字レンチなどのヘッド部位と棒体から構成されるＴ字形工具ないしＴ字部位（棒体に当る部位の上部に位置する部位の下部の左と右に第１のヘッド載り部位と第２のヘッド載り部位に載る部位が形成された形態など）を有する工具や、ホーク、スプーンなどのＴ字部位を有する食器、肉たたきなどのＴ字形調理具など、Ｔ字形形態の部材ないしＴ字部位を有するＴ字形部材を着脱自在に保持するのに適したＴ字形部材用ホルダに関する。
【背景技術】
【０００２】
従来、Ｔ字形部材用ホルダであるハンマーのホルダであるハンマーホルダとして次のようなものが知られている。
（１）腰バンドに取り付ける取付体と、この取付体の正面に２本のひっかけ杆の上端部を並べて止着し、この２本のひっかけ杆の中程を円弧状に下向き湾曲してレンチ受け部を形成し、このレンチ受け部の左右の上向き遊離端を夫々内側に折り曲げして対抗端を形成して、レンチ受け部の並設間隔をレンチの首部の幅より少し幅広くし、対抗端の間隔をレンチの棒体の幅より少し幅広くし且つレンチの首部の幅より幅狭く形成し、２本のひっかけ杆の間には棒体を下方垂れ状態から垂直立て状態に回動自在とする棒体回動自在空間が形成されてなる腰バンド用ラチエットレンチ装着具が開示されている。（例えば特許文献１）
（２）腰バンドに装着される取付体と、この取付体の正面に設けられた略Ｔ字状のハンマー、ラチエットレンチ等のＴ字形工具のヘッド部位を下方から支持して工具を吊り下げ状態に保持する工具保持部とからなり、前記工具保持部が、棒体の首部の外径より大なる間隔をおいて水平方向に対向状に配置された一対の保持部材からなり、一方の保持部材はその上部に少なくとも棒体の首部の出入りを許容する開口部を備えた開口保持部材とされ、他方の保持部材はヘッド部位を周方向に抱持しうる輪形状に形成された輪保持部材とされ、前記一対の保持部材の間には棒体を下方垂れ状態から垂直立て状態に回動自在とする棒体回動自在空間が形成されてなる工具ホルダが開示されている。（例えば特許文献２）
【先行技術文献】
【特許文献】
【０００３】
【特許文献１】実開平０３−４４５７４号公報
【特許文献２】特開平７-２９９７７２号公報
【非特許文献】
【０００４】
【非特許文献１】特になし
【発明の概要】
【発明が解決しようとする課題】
【０００５】
上述した従来技術は、次に述べるような欠点があった。
（１）特許文献１の発明は、レンチ受け部の上方が開放された形態であるので、レンチヘッドが持ち上がると簡単にレンチ受け部からレンチヘッドが外れてしまうという欠点を有するものであった。
（２）特許文献２の発明は、一方の保持部材はその上部に少なくとも棒体の首部およびヘッド部位の出入りを許容する開口部を備えた開口保持部材とされ、他方の保持部材はヘッド部位を周方向に抱持しうる輪形状に形成された輪保持部材とされ、開口保持部材と輪保持部材の間には棒体を上下に回動自在とする棒体回動空間が形成された構成であるので、入れるときはＴ字形工具をヘッド部位を下にして真っ直ぐに立て、まず開口保持部材にヘッド部位を載せてから輪保持部材に水平移動させてヘッド部位の一方の側を入れ、棒体を下に回し下げ、外すときはこの逆の操作を行うというものである。
よって、棒体を垂直に立ち上げるまでは工具を外すことができないものであるため、外す場合にあっては、一方の手で棒体を握り持ち上げその手で棒体の握りを替えて外し、他方の手に持ち替えてハンマーを使用できる握りに一方の手に握り替えるという操作を市泣けばならないという欠点を有するものであった。
また、腰右側に装着している場合と腰左側に装着している場合とでの、輪保持部材ハンマーの抜き挿し操作は腰右側は前方に移動させて抜くのであるが、腰左側では後方に移動させ抜かなければならないという欠点を有するものであった。
また、棒体が棒体回動空間より細い場合は、開口保持部材の上部はヘッド部位を抑えるものがないので、身体動作に伴いヘッド部位が持ち上がり棒体が前後に振れるという欠点を有するものであった。
【０００６】
本発明は以上のような従来技術の欠点に鑑み、特にヘッド部位が容易には外れることがない安全性を確保するとともに、片手でハンマーをそのまま使用できる握り状態で該ハンマーの取り付け（装着）と外しを、握りを変えることなく素早く容易に行えるＴ字形部材用ホルダを提供することを目的としている。
また、本願の目的は、ハンマー、ラチェットレンチ、十字レンチなどの工具に限定することなく、食器具、調理具などのＴ字形ないしＴ字部位を有するＴ字形部材を保持するＴ字形部材用ホルダを提供することを目的としている。
【課題を解決するための手段】
【０００７】
上記目的を達成するために、本発明は次に述べるような構成としている。
＜請求項１記載の発明＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなるとともに、
ヘッド保持部、取付体、内行き規制部が一本の金属製棒部材を折り曲げることによって形成されたものであることを特徴とするＴ字形部材用ホルダである。
「外側」「内側」「前」「後」の方向位置関係は図１に示している。
「棒体の上部に設けられた該棒体よりも両側に幅の広いないし部位を形成しているヘッド部位とからなる・・・Ｔ字形部材」とは、Ｔ形ハンマーやＴ字形ラチエットレンチ、Ｔ字形充電ドライバー、十字レンチなどのヘッド部位と棒体から構成されるＴ字形工具、Ｔ字形安全カミソリなどの生活用品、棒体から見て引っ掛かる顎を両側に有するホーク、スプーンなどの、棒体よりも両側に突出する幅の広い部位を形成しているヘッド部位を有する部材をいう。
「前記第１、第２のヘッド載り部位側ないし前記連絡部側に設けられた、あるいは前記第１、第２のヘッド載り部位側ないし前記連絡部側に位置された、」とは、内行き規制部が、第１、第２のヘッド載り部位の間に設けられた形態、第１、第２のヘッド載り部位の上部あるいは下部に設けられた形態、連絡部に設けられた形態、連絡部の上部あるいは下部に設けられた形態、第１、第２のヘッド載り部位の上方あるいは下方に位置するように設けられた形態、あるいは連絡部の上方あるいは下方に位置するように設けられた形態などをいう。
＜請求項２記載の発明＞
取付体からＴ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とする請求項１記載のＴ字形部材用ホルダである。
【発明の効果】
【０００８】
以上の説明から明らかなように、本発明にあっては次に列挙する効果が得られる。
＜請求項１記載の発明の効果＞
腰ベルトに装着したハンマーホルダとしての使用形態例でその効果を説明する。
ハンマーのヘッド部位がヘッド保持部に保持状態にある場合にあっては、ヘッド部位ないし棒体が内側に移動しようとしても内行き規制部に当り内側に行くのが規制（阻止）され、上方に移動しようとしても第１、第２のヘッド上面規制部に当って上方に外れるのが規制（阻止）され、外側に移動しようとしても第１、第２のヘッド側面規制部に当って外側に外れるのが規制（阻止）され、前後に移動しようとしても第１、第２のヘッド載り部位に棒体が当って前後に外れるのが規制（阻止）される状態になる。
すなわち、ヘッド部位の六方が完全に塞がれたヘッド保持部から逃れられない保持形態を実現（図４の下図参照）する。
同時に、棒体（ハンマーでは柄）を一方の手で例えばハンマー撃ち握り形態で握って少し起こし回動して、内側に押すようにしてヘッド部位をヘッド保持部からヘッド出し入れ空間部に移動させ、そのままヘッド部位を押し上げて、第２のヘッド出し入れ開口部から外に出すことができる。すなわち、棒体（柄）を握った手を離すことなく向きを変えることなく少しの持ち上げ操作により素早く簡単に取り出すことができる。
また、入れる場合は、第２のヘッド出し入れ空間部にヘッド部位を入れて手を離せば、棒体（柄）ないしヘッドが内行き規制部に当り、棒体（柄）は内行き規制部を支点にして自重で倒れ回動して（図３、４参照）、ヘッド部位をヘッド保持部に進めながら下がり状態となって、装着（取付）完了となる。
よって、ハンマー撃ち握り状態の一方の手のみでハンマーの取付と外しが簡単素早くできるとともに、取付状態にあってはハンマーが外れることが無い安全なＴ字形部材用ホルダを実現するという効果を奏する。
特に、素早く抜きそのままの握りでハンマー操作が行えるところがよいところである。
また、腰バンドに使用する場合にあっては、ヘッド保持部の前後部位である第１のヘッド保持部と第のヘッド保持部の形態は同じであるので、右腰でも左腰でも同じように使用でき同じ操作となる。
また、棒体回動空間部より棒体が細い場合でも、ヘッド部位の上部前後は第１のヘッド上面規制部と第２のヘッド上面規制部により、持ち上がりが阻止されているので、棒体が前後への振れが規制されるという効果を奏する。
また、全ての部位が一本の金属製棒部材を折り曲げによる構成であるので、安価にできるという効果を奏する。
＜請求項２記載の発明の効果＞
取付体からＴ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とする請求項１記載のＴ字形部材用ホルダであるので、請求項１記載の発明と同様な効果を奏するとともに次に述べるような効果を奏する。
Ｔ字形部材が押し上げられても、ヘッド部位が殆どの場合、ヘッド内側面当り部とヘッド上面当り部に当って外れることが阻止されるので、より安全性の高いものにできる。
【図面の簡単な説明】
【０００９】
【図１】本発明の実施例１の斜視図。
【図２】本発明の実施例１の側面図。
【図３】本発明の実施例１のハンマー装着手順図。
【図４】本発明の実施例１のハンマー装着手順図。
【図５】本発明の実施例１の正面図、左側面図、右側面図、平面図底面図。
【図６】本発明の実施例１の斜視図。
【図７】本発明の実施例２の側面図および正面図。
【図８】本発明の実施例３の斜視図。
【図９】本発明の実施例４の斜視図。
【図１０】本発明の実施例５の斜視図。
【図１１】本発明の実施例６の斜視図。
【図１２】本発明の実施例７の斜視図。
【図１３】本発明の実施例８の斜視図。
【図１４】本発明の実施例９の側面図および内行き規制部の斜視図。
【図１５】本発明の実施例１０の使用状態側面図および斜視図。
【図１６】本発明の実施例１１の使用状態側面図および異なる使用状態側面図。
【図１７】本発明の実施例１１の組立分解斜視図。
【図１８】本発明の実施例１２の組立分解斜視図。
【図１９】本発明の実施例１３の使用状態側面図および斜視図。
【図２０】本発明の実施例１４の使用状態側面図および斜視図。
【図２１】本発明の実施例１５の使用状態側面図および斜視図。
【図２２】本発明の実施例１６の使用状態側面図および斜視図。
【図２３】本発明の実施例１７の使用状態斜視図。
【図２４】本発明の実施例１８の斜視図。
【図２５】本発明の実施例１８の使用状態斜視図。
【図２６】本発明の実施例１９の斜視図。
【図２７】本発明の実施例２０の側面図。
【図２８】本発明の実施例２１の斜視図。
【図２９】本発明の実施例２２の斜視図。
【図３０】本発明の実施例２１の斜視図。
【図３１】本発明の実施例２１の斜視図。
【発明を実施するための形態】
【００１０】
以下、本発明を実施するための形態である実施例を説明する。但し、本発明をそれらに限定する趣旨のものではない。また、後述する実施例の説明において前述した実施例と同じ構成には同じ符号を付しその説明を省略する。
【実施例１】
【００１１】
図１〜図６に示す本発明を実施するための最良の第１の実施の形態において、１はＴ字形部材用ホルダであって、ハンマーの保持に適したＴ字形部材用ホルダ１は次に述べるような構成となっている。
Ｔ字形部材用ホルダ１に装着（取り付ける）のはヘッド部位２と棒体３から構成されるＴの字形態をしたＴ字形部材４（ここではハンマー）である。
Ｔ字形部材用ホルダ１は、腰ベルト５に装着する一本の金属棒部材をＵ字形態に曲げ形成した取付体本体６と、
この取付体本体６の上部を下方に折り曲げ形成した立ち下がり部７ａ、７ｂと、
この立ち下がり部７ａ、７ｂと取付体本体６の間に形成されたベルト通部８ａ、８ｂと、
立ち下がり部７ａ、７ｂ、取付体本体６とからなる取付体２０と、
立ち下がり部７ａ、７ｂを外側に折り曲げて形成した連絡部９ａ、９ｂと、
この連絡部９ａから外側に向けて設けられた前記ヘッド部位２の一方を載せるヘッド載り部位１０ａ、このヘッド載り部位１０ａから立ち上がるように設けられた、該ヘッド載り部位１０ａに載っている前記ヘッド部位２の外側に位置するヘッド側面規制部１１ａ、このヘッド側面規制部１１ａから内側に向けて設けられた、前記ヘッド載り部位１０ａに載っている前記ヘッド部位２の上方に位置するヘッド上面規制部１２ａとからなるヘッド保持部１３ａと、
前記連絡部９ｂから外側に向けて設けられた前記ヘッド部位２の他方を載せるヘッド載り部位１０ｂ、このヘッド載り部位１０ｂから立ち上がるように設けられた、該ヘッド載り部位１０ｂに載っている前記ヘッド部位２の外側に位置するヘッド側面規制部１１ｂ、このヘッド側面規制部１１ｂから内側に向けて設けられた、前記ヘッド載り部位１０ｂに載っている前記ヘッド部位の上方に位置するヘッド上面規制部１２ｂとからなるヘッド保持部１３ｂと、
前記ヘッド保持部１３ａと前記ヘッド保持部１３ｂからなるヘッド保持部１３と、
前記ヘッド保持部１３ａと前記ヘッド保持部１３ｂの間に形成された、前記ヘッド部位２が前記ヘッド保持部１３に保持されている状態にあっては前記棒体３の下がり状態を形成し且つ該棒体３を回動自在とする棒体回動空間部１４と、
前記ヘッド上面規制部１２ａと前記ヘッド上面規制部１２ｂの端部間に形成された前記棒体３の出し入れをするための、前記棒体回動自在空間１４と連絡した棒体出し入れ開口部１５と、
この棒体出し入れ開口部１５と連絡し該棒体出し入れ開口部１５の下方に形成された、前記ヘッド部位２を前記ヘッド保持部１３に出し入れするためのヘッド出し入れ開口部１６と、
前記棒体出し入れ開口部１５と連絡し該棒体出し入れ開口部１５の内側で前記連絡部９ａ、９ｂの上方に形成された、前記ヘッド部位２を出し入れするためのヘッド出し入れ開口部１７と、
前記連絡部９ａ、９ｂの上方で前記ヘッド保持部１３の内側に形成された、前記棒体出し入れ開口部１５、前記ヘッド出し入れ開口部１６および前記ヘッド出し入れ開口部１７に連絡したヘッド出し入れ空間部１８と、
前記ヘッド保持部１３の下方側、前記連絡部９ａ、９ｂ側あるいは該ヘッド保持部１３の下方側と前記連絡部９ａ９ｂの中間に設けられた、前記ヘッド保持部１３に保持状態にある前記ヘッド部位２から垂れ下がり状態にある前記棒体３ないしヘッド部位２が当ってそれ以上内側に行くのを阻止するための内行き規制部１９とからなっている。
【００１２】
ヘッド部位２がヘッド保持部１３に保持状態にある場合にあっては、棒体３ないしヘッド部位２が内側に移動しようとしても内行き規制部１９に当り内側に行くのが阻止（規制）されたヘッド部位保持状態にあり、このヘッド部位保持状体にあってのヘッド部位２は、上方に移動しようとしてもヘッド上面規制部１２ａおよびヘッド上面規制部１２ｂに当って上方に外れるのが阻止され、外側に移動しようとしてもヘッド側面規制部１１ａおよびヘッド側面規制部１１ｂに当って外側に外れるのが阻止され、内側に移動しようとしても棒体３が内行き規制部１９に当り内側に行くのが阻止され、前後に移動しようとしてもヘッド載り部位１０ａおよびヘッド載り部位１０ｂに棒体３が当って前後に外れるおよび振れるのが阻止されるという、六方が完全に塞がれたヘッド部位２がヘッド保持部１３から容易には逃れられない保持形態を実現（図４の下図）するとともに、棒体３を一方の手で例えばハンマー撃ち握り状態の握り起こし回動させて、ヘッド部位２をヘッド保持部１３からヘッド出し入れ空間部１８に押し上げ移動させ、そのままヘッド部位２を持ち上げヘッド出し入れ開口部１７から外に出すことができ、入れる場合はこの逆の操作を行えばよい。
入れる場合にあっては、ヘッド出し入れ空間部１８にヘッド部位２を入れて手を離せば、棒体３は内行き規制部１９を支点にして自重で下がり回動してヘッド部位２をヘッド保持部１３に進めながら垂れ下がり状態となって、装着（取付）完了となる（図３、４参照）。
よって、ハンマー撃ち握り状態の一方の手のみでＴ字形部材４（ハンマー）の取付と外しが簡単素早くできるとともに、取付状態にあってはハンマーが外れることが無い安全なＴ字形部材用ホルダ１を実現しているものである。
【００１３】
連絡部９ａ、９ｂの間には連絡部空間が形成されており、該連絡部空間にはドライバー、スパナーなどの工具を差し込み簡易的に保持することができるので、作業性がよくなり便利である。
連絡部は水平に限られるものではなく、斜め上がり、斜め下がり、湾曲形態など多様な形態を採用することができる。
また、ドライバー、ペンチなどの工具を差し込み保持する革性の工具ホルダの上部に横長リングを通し、この横長リングをヘッド上面規制部１２ａ、１２ｂに通し、該横長リングを連絡部９ａ、９ｂ上に位置させ革性の工具ホルダを下げた状態にして使用できる。
【実施例２】
【００１４】
図７に示す本発明の実施例２において前記実施例１と主に異なる点は、取付体本体６を水平に外側に折り曲げて連絡部９ａ、９ｂを形成し、立ち下がり部をＵの字形態（下の角の湾曲は小さい）の立ち下がり部２４として、該立ち下がり部２４を連絡部９ａ、９ｂの下に溶接して設けてなるＴ字形部材用ホルダ２５を形成した点にある。
このような構成とすることにより、ヘッド保持部１３はベルトの上部側という腰高に位置するので、Ｔ字形部材も高い位置となり、取り付け操作（装着操作）と外し操作が行いやすくなるとともに、棒体が下から押し起こされる機会が大幅に減少させることができ、足の腿への当り部分もあがるので腿に当っての外側への振れも小さくなる。
【実施例３】
【００１５】
図８に示す本発明の実施例３において前記実施例１と主に異なる点は、射出成形による合成樹脂製部材でＴ字形部材用ホルダ２８を形成した点にある。
連絡部は一枚プレートとからなる連絡部２９としている。ベルト通部は貫通孔からなるベルト通し部３０となっている。
【００１６】
一枚の金属製板部材を所定の形状に打抜き、それを所定の形状に折り曲げ形成してもＴ字形部材用ホルダ２８と同じ形態のものを形成でき、この形態もよい。
【実施例４】
【００１７】
図９に示す本発明の実施例４において前記実施例１と主に異なる点は、取付体本体を幅広形態とした取付体本体３３としてなるＴ字形部材用ホルダ３４を形成した点にある。
枠体である取付体本体３３が幅広となったことで、腰骨の側方に突き出した部分である腸骨稜が取付体本体３３内に収まるので、装着感が違和感なく良く且つ安定感ある装着を実現する。
【実施例５】
【００１８】
図１０に示す本発明の実施例５において前記実施例１と主に異なる点は、取付体をベルトクリップからなる取付体４０とし、この取付体４０に連絡部９ａ、９ｂ側を溶接により固定してなるＴ字形部材用ホルダ４１を形成した点にある。
【実施例６】
【００１９】
図１１に示す本発明の実施例６において前記実施例２と主に異なる点は、取付体本体６の上部に立ち上げ体４３を設け、この立ち上げ体４３の上部を外側に水平に折り曲げて台部４４を形成し、この台部４４に永久磁石４５を載置し、台部４４と上面規制部１２ａおよび上面当り部１２ｂとの間にヘッド部位２を出し入れするヘッド出し入れ開口部４６を形成してなるＴ字形部材用ホルダ４７を形成した点にある。
永久磁石４５に磁着性のある釘、ビス、ステップルなどを多数磁着保持させて、あるいはスパナーなどの小さな工具を磁着させて作業を効率的に進めることができるので大変便利である。
また、ヘッド保持部１３にヘッド部位２が保持されている状態で、棒体３が大きく起き回動しても該棒体３は台部４４に当りヘッド部位２は下向きの力が加わり連絡部９ａ、９ｂに押し付けられ、且つ、棒体２の首前後は上面規制部１２ａおよび上面当り部１２ｂによって前後に行くのを阻止されるので、棒体２が大きく起き回動しても工具がホルダから外れることがないという効果を奏する。
ヘッド部位２を入れる操作は、棒体３を水平ないしそれより少し下向きでヘッド部位をヘッド出し入れ開口部４６から内側に向けて入れ、手を離すと棒体３は自然に降り回動してヘッド部位３はヘッド保持部１３に収まり装着は完了する。
ヘッド部位２を抜く（外す、取り出す）操作は、棒体３を片方の手で親指を上内側にして握り、ヘッド部位２を内側に移動させ持ち上げておいて引き出すことにより取り出す。
【実施例７】
【００２０】
図１２に示す本発明の実施例６において前記実施例１と主に異なる点は、ヘッド上面規制部１２ａ１２ｂに着脱可能に装着するゴム円筒製のアダプター５０ａ、５０ｂを設け、あるいは添付して、前記アダプター５０ａ、５０ｂをヘッド上面規制部１２ａ１２ｂに装着することによって、ヘッド部位２が位置するヘッド保持部１３の空間の上下距離を短くできるようにしたＴ字形部材用ホルダ５１を形成した点にある。
アダプター５０ａ、５０ｂと同様な形態でヘッド載り部位１０ａ、１０ｂが嵌り込むための切り込みないし溝を設けたものでもよい。
【実施例８】
【００２１】
図１３に示す本発明の実施例８において前記実施例３と主に異なる点は、取付体を一枚のプレートからなる取付体５３にし、該取付体５３にネジ通し孔５４を数カ所設け、該ネジ通し孔５４にビス５５によって、壁（図示せず省略）に固定して使用するＴ字形部材用ホルダ５６を形成した点にある。
これは、例えば、自動車の車内の足下壁に固定し、脱出の際に窓ガラスを割るためのヘッド部位５７の先端の尖ったハンマーであるＴ字形部材５８を保持しておく使用方法が考えられる。素早く簡単に外して使用できる。
【実施例９】
【００２２】
図１４に示す本発明の実施例９において前記実施例１と主に異なる点は、内行き規制部を、連絡部９ａ、９ｂおよびヘッド載り部位１０ａ、１０ｂの上に着脱可能に装着する硬質ゴム製部材からなる内行き規制部６０としたＴ字形部材用ホルダ６１を形成した点にある。
内行き規制部６０は、四角形の阻止部本体６６と、この阻止部本体５１の低い（薄い）側を形成している低いヘッド載り部位６２と、阻止部本体５１の高い（厚い）側を形成している高い部位ヘッド載り部位６３と、阻止部本体５１の底部に形成された連絡部９ａ、９ｂおよびヘッド載り部位１０ａ、１０ｂが嵌る嵌り溝６４ａ、６４ｂと、棒体３が入る棒体は入部６５ａ、６５ｂとからなっている。
内行き規制部６０の向きを変えることによって、ヘッド載り部位１０ａ、１０ｂの高さを変えることができ、幅広くヘッド部位に対応できる。
【００２３】
内行き規制部が、第１のヘッド載り部位と第２のヘッド載り部位に跨って載るあるいは連絡部に跨って載る幅の第１の阻止部材と、この第１の阻止部材よりも厚みのある第２の阻止部材と、この第２の阻止部材と前記第１の阻止部材を前記第１、第２のヘッド載り部位を挟む形態あるいは連絡部を挟む形態で着脱可能形態に結合する結合手段とからなることを特徴とするＴ字形部材用ホルダ。
内行き規制部のセット位置を好みの位置に調節することができるとともに、厚みのある第２の阻止部材を上にそれより薄い第１の阻止部材を下にして結合した形態とし、また、第１の阻止部材を上に第２の阻止部材を下にして結合した形態とした取付け選択できるので、保持するヘッド部位の大きさ、形態等に対応した調節ができるので、特に大きさの異なるヘッド部位への対応範囲の広いＴ字形部材用ホルダを実現する。
【００２４】
第１、第２のヘッド載り部位あるいは第１、第２のヘッド上面規制部に着脱可能に装着するアダプターを設け、あるいは添付して、前記アダプターを第１、第２のヘッド載り部位あるいは前記第１、第２のヘッド上面規制部に装着することによって、ヘッド保持部のヘッド部位が位置する空間の上下距離を短くできるようにしたことを特徴とするＴ字形部材用ホルダ。
アダプターのない場合は大きなヘッド部位のものを取付けられ、アダプターを装着した場合はヘッド部位の小さいものを取り付けられるで、対応するヘッド部位の範囲が広くなる。
【実施例１０】
【００２５】
図１５に示す本発明の実施例１０において前記実施例１と主に異なる点は、取付体を連絡部９ａ、９ｂを下方に向けて折り曲げ、次に外側に向けて折り曲げ、次に上に向けて折り曲げてベルト通し部６８ａ６６８ｂを形成してなる取付体本体６９とした取付体７０を形成し、これによってＴ字形部材用ホルダ７１を形成した点にある。
この結果、連絡部９ａ、９ｂおよびヘッド載り部位１０ａ、１０ｂが前記取付体７０の上部に位置され、よって、腰ベルト（図示せず省略）に前記取付体７０を装着した状態にあっては、連絡部９ａ、９ｂおよびヘッド載り部位１０ａ、１０ｂの高さ位置が腰ベルトの上部と略同じ高さ位置かそれより高い位置とした形態を実現しているものである。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
【実施例１１】
【００２６】
図１６、１７に示す本発明の実施例１１において前記実施例１０と主に異なる点は、内行き規制部を、ヘッド載り部位１０ａ、１０ｂに跨って載るあるいは連絡部９ａ、９ｂに跨って載る幅の阻止部材７３と、この阻止部材７３よりも厚みのある阻止部材７４と、この阻止部材７４と前記阻止部材７３を前記ヘッド載り部位１０ａ、１０ｂを挟む形態あるいは連絡部９ａ、９ｂを挟む形態で着脱可能形態に結合するボルト７５とナット７６からなる結合手段７７とから内行き規制部７８として、取付体本体６９を金属板７９で溶接結合一体化してなるＴ字形部材用ホルダ８０を形成した点にある。
阻止部材７３には上下に貫通するネジ通し孔８１が設けられ、図面で上で上面にヘッド載り部位１０ａ、１０ｂが入る凹部８２ａ、８２ｂが設けられている。
阻止部材７４には上下に貫通するネジ通し孔８３が設けられ、図面上で下面にヘッド載り部位１０ａ、１０ｂが入る凹部８４ａ、８４ｂにている。８５はワッシャー。
結合手段は、粘着テープ、面ファスナー帯体、クリップ、ゴム輪など多様な手段がある。
ネジ通し孔８１、ネジ通し孔８３は二箇所以上設け、二本以上のボルトで締めるのも良い。
【実施例１２】
【００２７】
図１８に示す本発明の実施例１２において前記実施例１１と主に異なる点は、取付体を、金属板７９を設けず、ベルト通し部６８ａ、６８ｂを形成している外側立ち上がり部８７ａ、８７ｂの上部で折り曲げ幅決めをしている連絡部である幅決め連絡部８８によって連絡された取付体８９とし、かつ、内行き規制部７８以外の部位が一本の金属製棒部材の折り曲げによって形成した、Ｔ字形部材用ホルダ９０を形成した点にある。
【実施例１３】
【００２８】
図１９に示す本発明の実施例１３において前記実施例１１と主に異なる点は、離れ部９ａ、９ｂを短くし取付体８９をヘッド保持部１３に距離が近い構成とし、内行き規制部を幅決め連絡部８８による内行き規制部９２としたＴ字形部材用ホルダ９３を形成した点にある。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、むしろこれによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
また、Ｔ字形部材が身体に近くなるので振れが少なくなり、携行が安定する。
【実施例１４】
【００２９】
図２０に示す本発明の実施例１４において前記実施例１３と主に異なる点は、取付体を連絡部９ａ、９ｂを下方に向け折り曲げ、次に内側に向けて折り曲げ、次に上方に向けて折り曲げてベルト通し部６８ａ、６８ｂを形成してなる取付体本体９５とした取付体９６を形成し、さらに外側に向けて折り曲げ、幅決め連絡部８８を連絡部９ａ、９ｂないしヘッド載り部位１０ａ、１０ｂの上部に位置させて、該幅決め連絡部８８を内行き規制部９２としたＴ字形部材用ホルダ９７を形成した点にある。
【実施例１５】
【００３０】
図２１に示す本発明の実施例１５において前記実施例１３と主に異なる点は、ヘッド上面規制部１２ａ、１２ｂを内側に延長して離れ部９ａ、９ｂの上方にまで位置させた形態とし、よって、ヘッド出し入れ開口部１７を有しない形態のＴ字形部材用ホルダ１００を形成した点にある。
連絡部９ａ、９ｂおよびヘッド出し入れ開口部１７を有さない形態で、かつ、ヘッド載り部位１０ａ、１０ｂが取付体の上部に位置されるという形態によって、ヘッド上面規制部１２ａ、１２ｂと身体（脇腹）との間には使用者の身体形態によって隙間が無かったり僅かの隙間がある程度になるが、ヘッド部位の出し入れは身体（脇腹）を押し凹ませてヘッド出し入れ開口部１７に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にする。
【実施例１６】
【００３１】
図２２に示す本発明の実施例１６において前記実施例１０と主に異なる点は、内行き規制部を設けない（有さない）構成とし、取付体を内側面で金属板１０３によって幅決め熔接結合して全体を一体化し、ヘッド上面規制部１２ａ、１２ｂを内側に延長して離れ部９ａ、９ｂの上方に位置させた形態とし、よって、ヘッド出し入れ開口部１７を有しない形態であり、かつ、腰ベルト（図示せず省略）に取付体７０を取り付けた状態にあって、腰ベルトの上部縁が内行き規制部として機能されるようにしてなるＴ字形部材用ホルダ１０４を形成した点にある。
第２のヘッド出し入れ開口部および内行き規制部を有しない形態であっても、腰ベルトに取付体を取り付けた状態にあって、該腰ベルトの上部縁が内行き規制部として機能され、かつ、第１、第２のヘッド上面規制部と身体（脇腹）との間には隙間が無かったり僅かの隙間がある程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にしている。
【実施例１７】
【００３２】
図２３に示す本発明の実施例１７において前記実施例１と主に異なる点は、ヘッド部位１０６、棒体１０７とからなる充電式ドライバーであるＴ字形部材１０８を装着するＴ字形部材用ホルダ１０９を形成した点にある。
１１０ａ、１１０ｂはベルト通部８ａ、８ｂの着脱自在形態で塞ぐ開閉式環部材である。
開閉式環部材に変えて着脱できない環部材（八の字形リング、ニ連リングが持ち上げても上部で外れることが無いのでよい）を移動自在に設ける形態もよい。この形態では、腰ベルト（図示せず省略）を腰に装着したままの状態でＴ字形部材用ホルダ１０９を上から押し下げてベルト通部８ａ、８ｂの下部から入れ、環部材を押し上げて装着し、腰ベルトを腰に装着したままＴ字形部材用ホルダ１０９を持ち上げ外すことが自在にできるとともに、環部材を下にして腰に装着しない状態で腰ベルトをベルト通部８ａ、８ｂに通して、外れない形態で装着することができる。
【実施例１８】
【００３３】
図２４、図２５に示す本発明の実施例１８において前記実施例１と主に異なる点は、内行き規制部を取付体本体６を連絡部９ａ、９ｂより下方の部位を外側に折り曲げないし折り曲げ傾斜上げ状態にして、その先端バー部分によって内行き規制部１１１としてなるＴ字形部材用ホルダ１１２を形成した点にある。
略同様な形態を１枚の金属板を打抜折り曲げて形成したものもよい。
【００３４】
内行き規制部１１１を連絡部９ａ、９ｂないしヘッド載り部位１０ａ、１０ｂに近接ないし当接させて、内行き規制部１１１と連絡部９ａ、９ｂないしヘッド載り部位１０ａ、１０ｂを熔接、結束バンドなどによって接合や連結するのがよい。こうすることによりヘッド載り部位１０ａ、１０ｂおよびヘッド上面規制部１２ａ、１２ｂが広がったり狭まったりすることが強く抑制される。
結束バンドや針金部材などによる連結では、内行き規制部１１１と連絡部９ａ、９ｂは離れていても可能であり、熔接の場合にも他の部材を渡しても可能である。
【００３５】
内行き規制部１１１の幅とヘッド上面規制部１２ａ、１２ｂ、ヘッド載り部位１０ａ、１０ｂの幅が異なるものもよい。例えば、ヘッド載り部位１０ａ、１０ｂを前後方向に広げた形態とすることにより、幅広ないし太い柄のものに対応可能となり、前後方向に狭めた形態とすることにより細い柄のものに対応可能とすることができる。すなわち、ヘッド載り部位１０ａ、１０ｂと内行き規制部１１１が非接合形態であるＴ字形部材用ホルダ１１２では、ヘッド載り部位１０ａ、１０ｂの前後方向への幅を容易に広げたり狭めたりできるので、より多様なＴ字形部材への対応が１つのもので可能とするものである。
ヘッド載り部位１０ａ、１０ｂの開き具合を形成してから、内行き規制部１１１と連絡部９ａ、９ｂないしヘッド載り部位１０ａ、１０ｂを熔接、結束バンドなどによって接合や連結するのもよい。
【実施例１９】
【００３６】
図２６に示す本発明の実施例１９において前記実施例１８と主に異なる点は、ヘッド上面規制部１２ａ、１２ｂのそれぞれの形成時に、それぞれの先端部位の余分な部位を所定の位置で折り上げ曲げた状態として、それから切断して曲げ上げ部１１３ａ、１１３ｂを形成したＴ字形部材用ホルダ１１４を形成した点にある。
先端が曲げられた湾曲形態となるので、ヘッド出し入れ開口部１７が少し広がりかつ湾曲面であるので、ヘッド部位の出し入れ操作が（特の出し操作）行い易い。
【実施例２０】
【００３７】
図２７に示す本発明の実施例２０において前記実施例１８と主に異なる点は、連絡部９ａ、９ｂ、ヘッド載り部位１０ａ、１０ｂ、ヘッド上面規制部１２ａ、１２ｂを内側に下り傾斜形態としたＴ字形部材用ホルダ１１５を形成した点にある。
Ｔ字形部材４の棒体３が内側（ベルト側）にある内行き規制部１１１に常に下り押し付け状態とされるので、外側に振れ難く保持安定性がよい。
【実施例２１】
【００３８】
図２８に示す本発明の実施例２１において前記実施例１８と主に異なる点は、取付体本体６のベルトの内側に位置する部位の内側に下方に突き出す形態のプレート１１６を設けてなるＴ字形部材用ホルダ１１７を形成した点にある。
プレート１１６によって、取付体本体６下方折り曲げ部位の角が腿に食い込む違和感を解消することができる。プレート１１６は金属板、合成樹脂製板、革板、安全ベルトなどと同じ素材でからなる織物製板部材など多様なものがある。
【実施例２２】
【００３９】
図２９に示す本発明の実施例２２において前記実施例２１と主に異なる点は、ヘッド上面規制部１２ｂの内側への長さがヘッド上面規制部１２ａより長く形成され、ヘッド側面規制部１１ａよりヘッド側面規制部１１ｂの方を短く形成してなるＴ字形部材用ホルダ１１８を形成した点にある。
こうすることにより、例えば、釘抜き部（あるいは壁等への孔あけのため尖った部位）と打ち叩き部からなるヘッドのＴ字形部材によりあった形態となり、振れが少なくより納まりのよい外れ難いものにできる。
【実施例２３】
【００４０】
図３０、３１に示す本発明の実施例２３において前記実施例１０と主に異なる点は、取付体本体６９からＴ字形部材４のヘッド部位２の内側面が当るヘッド内側面当り部１２０がヘッド上面規制部１２ａ、１２ｂより高い位置まで立ち上げられ、ヘッド内側面当り部１２０の上部が外側に曲がり延びた形態ないし他の部材を設けた形態でのヘッド部位２の上面が当るヘッド上面当り部１２１が設けられ、ヘッド上面当り部１２１の先端とヘッド上面規制部１２ａ、１２ｂの間にヘッド部位２が出入りするヘッド部位出入り開口１２２が形成されてなるＴ字形部材用ホルダ１２３を形成した点にある。
Ｔ字形部材４が押し上げられても、ヘッド部位２が殆どの場合、ヘッド内側面当り部１２０とヘッド上面当り部１２１に当って外れることが阻止されるので、より安全性の高いものにできる。
【００４１】
[付記]
＜付記１記載の発明の効果＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなることを特徴とするＴ字形部材用ホルダである。
腰ベルトに装着したハンマーホルダとしての使用形態例でその効果を説明する。
ハンマーのヘッド部位がヘッド保持部に保持状態にある場合にあっては、ヘッド部位ないし棒体が内側に移動しようとしても内行き規制部に当り内側に行くのが規制（阻止）され、上方に移動しようとしても第１、第２のヘッド上面規制部に当って上方に外れるのが規制（阻止）され、外側に移動しようとしても第１、第２のヘッド側面規制部に当って外側に外れるのが規制（阻止）され、前後に移動しようとしても第１、第２のヘッド載り部位に棒体が当って前後に外れるのが規制（阻止）される状態になる。
すなわち、ヘッド部位の六方が完全に塞がれたヘッド保持部から逃れられない保持形態を実現（図４の下図参照）する。
同時に、棒体（ハンマーでは柄）を一方の手で例えばハンマー撃ち握り形態で握って少し起こし回動して、内側に押すようにしてヘッド部位をヘッド保持部からヘッド出し入れ空間部に移動させ、そのままヘッド部位を押し上げて、第２のヘッド出し入れ開口部から外に出すことができる。すなわち、棒体（柄）を握った手を離すことなく向きを変えることなく少しの持ち上げ操作により素早く簡単に取り出すことができる。
また、入れる場合は、第２のヘッド出し入れ空間部にヘッド部位を入れて手を離せば、棒体（柄）ないしヘッドが内行き規制部に当り、棒体（柄）は内行き規制部を支点にして自重で倒れ回動して（図３、４参照）、ヘッド部位をヘッド保持部に進めながら下がり状態となって、装着（取付）完了となる。
よって、ハンマー撃ち握り状態の一方の手のみでハンマーの取付と外しが簡単素早くできるとともに、取付状態にあってはハンマーが外れることが無い安全なＴ字形部材用ホルダを実現するという効果を奏する。
特に、素早く抜きそのままの握りでハンマー操作が行えるところがよいところである。
また、腰バンドに使用する場合にあっては、ヘッド保持部の前後部位である第１のヘッド保持部と第のヘッド保持部の形態は同じであるので、右腰でも左腰でも同じように使用でき同じ操作となる。
また、棒体回動空間部より棒体が細い場合でも、ヘッド部位の上部前後は第１のヘッド上面規制部と第２のヘッド上面規制部により、持ち上がりが阻止されているので、棒体が前後への振れが規制されるという効果を奏する。
＜付記２記載の発明の効果＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体の上部から外側に突出するように設けられた、前記第１のヘッド下面を載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記取付体の上部から外側に突出するように設けられた、前記ヘッド部位の前記第２のヘッド下面を載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部と前記取付体の間に形成された、前記ヘッド部位を前記ヘッド保持部に出し入れするためのヘッド出し入れ開口部と、
前記取付体の上部側あるいは該取付体の外側で該取付体に近接する位置に設けられた、前記ヘッド保持部に保持状態にある前記ヘッド部位ないし下がり状態にある前記棒体の内側への動きを規制する内行き規制部とからなるとともに、
第１のヘッド載り部位および第２のヘッド載り部位の上面が、前記取付体が取りつけられたベルトや壁などの取付体取付け部の上部面と略同じ程度かそれより上方に位置するようにしてなることを特徴とするＴ字形部材用ホルダである。
ベルトや壁などの取付体取付け部よりも第１のヘッド載り部位および第２のヘッド載り部位の上面が位置しているので、ハンマーなどのヘッド部位はヘッド出し入れ開口部から前記取付体取付け部よりも内側に抜けさせ取り外すことができるものであり、このような構成としても、取付体取付け部内側にハンマーなどのヘッド部位が抜ける空間があるものや、ヘッド部位で押して空間を形成できる場合において使用できるものであり、このような使用可能形態においては付記１記載の発明と同様な効果を奏する。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできるという効果を奏する。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にするという効果を奏する。
また、Ｔ字形部材が身体に近くなるので振れが少なくなり、携行が安定する。
＜付記３記載の発明の効果＞
内行き規制部が設けられず、取付体が取りつけられたベルトや壁などの取付体取付け部が内行き規制部として機能するものであることを特徴とする付記２記載のＴ字形部材用ホルダである。
内行き規制部をベルトや壁などの取付体取付け部としているので、このような構成としても、付記２記載の発明と同様な効果を奏する。
第２のヘッド出し入れ開口部および内行き規制部を有しない形態であっても、腰ベルトに取付体を取り付けた状態にあって、該腰ベルトの上部縁が内行き規制部として機能し、かつ、第１、第２のヘッド上面規制部と身体（脇腹）との間には隙間が無かったり僅かの隙間が在る程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にするという効果を奏する。
また、Ｔ字形部材が身体に近くなるので振れが少なくなり、携行が安定する。
＜付記４記載の発明の効果＞
ヘッド保持部、取付体が一本の金属製棒部材を折り曲げることによって形成されたものであることを特徴とする付記１、２、３のいずれか1項に記載のＴ字形部材用ホルダである。
付記１、２、３のいずれかに記載の発明と同様な効果を奏するとともに、ヘッド保持部、取付体が一本の金属製棒部材を折り曲げによる構成であるので、安価にできるという効果を奏する。
＜付記５記載の発明の効果＞
ヘッド保持部、取付体、内行き規制部が一本の金属製棒部材を折り曲げることによって形成されたものであることを特徴とする付記１、２のいずれかに記載のＴ字形部材用ホルダである。
付記１、２のいずれか1項に記載の発明と同様な効果を奏するとともに、内行き規制部が第１、第２の連絡部ないし第１、第２のヘッド載り部位と非接合形態の分離した形態となるので、第１、第２の連絡部、第１、第２のヘッド載り部位および第１、第２のヘッド上面規制部の間隔幅を広げたり狭めたりすることが自在にできるものである。これによって、より多様な幅や太さの柄に対応したものにできるという効果を奏する。
また、全ての部位が一本の金属製棒部材を折り曲げによる構成であるので、安価にできるという効果を奏する。
【産業上の利用可能性】
【００４２】
【符号の説明】
【００４３】
１：Ｔ字形部材用ホルダ、
２：ヘッド部位、
３：棒体、
４：Ｔ字形部材、
５：腰ベルト、
６：取付体本体
７ａ、７ｂ：立ち下がり部、
８ａ、８ｂ：ベルト通部、
９ａ、９ｂ：連絡部、
１０ａ：ヘッド載り部位、
１０ｂ：ヘッド載り部位、
１１ａ：ヘッド側面規制部、
１１ｂ：ヘッド側面規制部
１２ａ：ヘッド上面規制部、
１２ｂ：ヘッド上面規制部、
１３ａ：ヘッド保持部、
１３ｂ：ヘッド保持部、
１３：ヘッド保持部、
１４：棒体回動空間部、
１５：棒体出し入れ開口部、
１６：ヘッド出し入れ開口部、
１７：ヘッド出し入れ開口部、
１８：ヘッド出し入れ空間部、
１９：内行き規制部、
２０：取付体、
２４：立ち下がり部、
２５：Ｔ字形部材用ホルダ、
２８：Ｔ字形部材用ホルダ、
２９：連絡部、
３０：ベルト通し部、
３３：取付体本体、
３４：Ｔ字形部材用ホルダ、
４０：取付体、
４１：Ｔ字形部材用ホルダ、
４３：立ち上げ体、
４４：台部、
４５：永久磁石、
４６：第３のヘッド出し入れ開口部、
４７：Ｔ字形部材用ホルダ、
５０ａ、５０ｂ：アダプター、
５１：Ｔ字形部材用ホルダ、
５３：取付体、
５４：ネジ通し孔、
５５：ビス、
５６：Ｔ字形部材用ホルダ、
５７：ヘッド部位、
５８：Ｔ字形部材、
６０：内行き規制部、
６１：Ｔ字形部材用ホルダ、
６２：低いヘッド載り部位、
６３：高い部位ヘッド載り部位、
６４ａ、６４ｂ：嵌る嵌り溝、
６５ａ、６５ｂ：棒体は入部、
６６：阻止部本体、
６８ａ、９８ｂ：ベルト通し部、
６９：取付体本体、
７０：取付体、
７１：Ｔ字形部材用ホルダ、
７３：阻止部材、
７４：阻止部材、
７５：ボルト、
７６：ナット、
７７：結合手段、
７８：内行き規制部、
７９：金属板、
８０：Ｔ字形部材用ホルダ、
８１：ネジ通し孔、
８２ａ、８２ｂ：凹部、
８３：ネジ通し孔、
８４ａ、８４ｂ：凹部、
８５：ワッシャー、
８７ａ、８７ｂ：外側立ち上がり部、
８８：幅決め連絡部、
８９：取付体、
９０：Ｔ字形部材用ホルダ、
９２：内行き規制部、
９３：Ｔ字形部材用ホルダ、
９５：取付体本体、
９６：取付体、
９７：Ｔ字形部材用ホルダ、
１００：Ｔ字形部材用ホルダ、
１０３：金属板、
１０４：Ｔ字形部材用ホルダ、
１０６：ヘッド部位、
１０７：棒体、
１０８：Ｔ字形部材、
１０９：Ｔ字形部材用ホルダ、
１１１：内行き規制部、
１１２：Ｔ字形部材用ホルダ、
１１３ａ、１１３ｂ：曲げ上げ部、
１１４：Ｔ字形部材用ホルダ、
１１５：Ｔ字形部材用ホルダ、
１１６：プレート、
１１７：Ｔ字形部材用ホルダ、
１１８：Ｔ字形部材用ホルダ、
１２０：ヘッド内側面当り部、
１２１：ヘッド上面当り部、
１２２：ヘッド部位出入り開口、
１２３：Ｔ字形部材用ホルダ。
【手続補正書】
【提出日】平成23年12月29日(2011.12.29)
【手続補正１】
【補正対象書類名】特許請求の範囲
【補正対象項目名】全文
【補正方法】変更
【補正の内容】
【特許請求の範囲】
【請求項１】
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなるとともに、
前記取付体から前記Ｔ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とするＴ字形部材用ホルダ。
【手続補正２】
【補正対象書類名】明細書
【補正対象項目名】全文
【補正方法】変更
【補正の内容】
【発明の詳細な説明】
【技術分野】
【０００１】
本発明は、Ｔ字形ハンマーやＴ字形ラチエットレンチ、Ｔ字形充電ドライバー、十字レンチなどのヘッド部位と棒体から構成されるＴ字形工具ないしＴ字部位（棒体に当る部位の上部に位置する部位の下部の左と右に第１のヘッド載り部位と第２のヘッド載り部位に載る部位が形成された形態など）を有する工具や、ホーク、スプーンなどのＴ字部位を有する食器、肉たたきなどのＴ字形調理具など、Ｔ字形形態の部材ないしＴ字部位を有するＴ字形部材を着脱自在に保持するのに適したＴ字形部材用ホルダに関する。
【背景技術】
【０００２】
従来、Ｔ字形部材用ホルダであるハンマーのホルダであるハンマーホルダとして次のようなものが知られている。
（１）腰バンドに取り付ける取付体と、この取付体の正面に２本のひっかけ杆の上端部を並べて止着し、この２本のひっかけ杆の中程を円弧状に下向き湾曲してレンチ受け部を形成し、このレンチ受け部の左右の上向き遊離端を夫々内側に折り曲げして対抗端を形成して、レンチ受け部の並設間隔をレンチの首部の幅より少し幅広くし、対抗端の間隔をレンチの棒体の幅より少し幅広くし且つレンチの首部の幅より幅狭く形成し、２本のひっかけ杆の間には棒体を下方垂れ状態から垂直立て状態に回動自在とする棒体回動自在空間が形成されてなる腰バンド用ラチエットレンチ装着具が開示されている。（例えば特許文献１）
（２）腰バンドに装着される取付体と、この取付体の正面に設けられた略Ｔ字状のハンマー、ラチエットレンチ等のＴ字形工具のヘッド部位を下方から支持して工具を吊り下げ状態に保持する工具保持部とからなり、前記工具保持部が、棒体の首部の外径より大なる間隔をおいて水平方向に対向状に配置された一対の保持部材からなり、一方の保持部材はその上部に少なくとも棒体の首部の出入りを許容する開口部を備えた開口保持部材とされ、他方の保持部材はヘッド部位を周方向に抱持しうる輪形状に形成された輪保持部材とされ、前記一対の保持部材の間には棒体を下方垂れ状態から垂直立て状態に回動自在とする棒体回動自在空間が形成されてなる工具ホルダが開示されている。（例えば特許文献２）
【先行技術文献】
【特許文献】
【０００３】
【特許文献１】実開平０３−４４５７４号公報
【特許文献２】特開平７-２９９７７２号公報
【非特許文献】
【０００４】
【非特許文献１】特になし
【発明の概要】
【発明が解決しようとする課題】
【０００５】
上述した従来技術は、次に述べるような欠点があった。
（１）特許文献１の発明は、レンチ受け部の上方が開放された形態であるので、レンチヘッドが持ち上がると簡単にレンチ受け部からレンチヘッドが外れてしまうという欠点を有するものであった。
（２）特許文献２の発明は、一方の保持部材はその上部に少なくとも棒体の首部およびヘッド部位の出入りを許容する開口部を備えた開口保持部材とされ、他方の保持部材はヘッド部位を周方向に抱持しうる輪形状に形成された輪保持部材とされ、開口保持部材と輪保持部材の間には棒体を上下に回動自在とする棒体回動空間が形成された構成であるので、入れるときはＴ字形工具をヘッド部位を下にして真っ直ぐに立て、まず開口保持部材にヘッド部位を載せてから輪保持部材に水平移動させてヘッド部位の一方の側を入れ、棒体を下に回し下げ、外すときはこの逆の操作を行うというものである。
よって、棒体を垂直に立ち上げるまでは工具を外すことができないものであるため、外す場合にあっては、一方の手で棒体を握り持ち上げその手で棒体の握りを替えて外し、他方の手に持ち替えてハンマーを使用できる握りに一方の手に握り替えるという操作を市泣けばならないという欠点を有するものであった。
また、腰右側に装着している場合と腰左側に装着している場合とでの、輪保持部材ハンマーの抜き挿し操作は腰右側は前方に移動させて抜くのであるが、腰左側では後方に移動させ抜かなければならないという欠点を有するものであった。
また、棒体が棒体回動空間より細い場合は、開口保持部材の上部はヘッド部位を抑えるものがないので、身体動作に伴いヘッド部位が持ち上がり棒体が前後に振れるという欠点を有するものであった。
【０００６】
本発明は以上のような従来技術の欠点に鑑み、特にヘッド部位が容易には外れることがない安全性を確保するとともに、片手でハンマーをそのまま使用できる握り状態で該ハンマーの取り付け（装着）と外しを、握りを変えることなく素早く容易に行えるＴ字形部材用ホルダを提供することを目的としている。
また、本願の目的は、ハンマー、ラチェットレンチ、十字レンチなどの工具に限定することなく、食器具、調理具などのＴ字形ないしＴ字部位を有するＴ字形部材を保持するＴ字形部材用ホルダを提供することを目的としている。
【課題を解決するための手段】
【０００７】
上記目的を達成するために、本発明は次に述べるような構成としている。
＜請求項１記載の発明＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなるとともに、
前記取付体から前記Ｔ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とするＴ字形部材用ホルダである。
「外側」「内側」「前」「後」の方向位置関係は図１に示している。
「棒体の上部に設けられた該棒体よりも両側に幅の広いないし部位を形成しているヘッド部位とからなる・・・Ｔ字形部材」とは、Ｔ形ハンマーやＴ字形ラチエットレンチ、Ｔ字形充電ドライバー、十字レンチなどのヘッド部位と棒体から構成されるＴ字形工具、Ｔ字形安全カミソリなどの生活用品、棒体から見て引っ掛かる顎を両側に有するホーク、スプーンなどの、棒体よりも両側に突出する幅の広い部位を形成しているヘッド部位を有する部材をいう。
「前記第１、第２のヘッド載り部位側ないし前記連絡部側に設けられた、あるいは前記第１、第２のヘッド載り部位側ないし前記連絡部側に位置された、」とは、内行き規制部が、第１、第２のヘッド載り部位の間に設けられた形態、第１、第２のヘッド載り部位の上部あるいは下部に設けられた形態、連絡部に設けられた形態、連絡部の上部あるいは下部に設けられた形態、第１、第２のヘッド載り部位の上方あるいは下方に位置するように設けられた形態、あるいは連絡部の上方あるいは下方に位置するように設けられた形態などをいう。
＜請求項２記載の発明＞
取付体からＴ字形部材のヘッド部位の内側面が当るヘッド内側面当り部がヘッド上面規制部より高い位置まで立ち上げられ、前記ヘッド内側面当り部の上部が外側に曲がり延びた形態ないし他の部材を設けた形態での前記ヘッド部位の上面が当るヘッド上面当り部が設けられ、このヘッド上面当り部の先端と前記ヘッド上面規制部の間に前記ヘッド部位が出入りするヘッド部位出入り開口が形成されてなることを特徴とする請求項１記載のＴ字形部材用ホルダである。
【発明の効果】
【０００８】
以上の説明から明らかなように、本発明にあっては次に列挙する効果が得られる。
＜請求項１記載の発明の効果＞
腰ベルトに装着したハンマーホルダとしての使用形態例でその効果を説明する。
ハンマーのヘッド部位がヘッド保持部に保持状態にある場合にあっては、ヘッド部位ないし棒体が内側に移動しようとしても内行き規制部に当り内側に行くのが規制（阻止）され、上方に移動しようとしても第１、第２のヘッド上面規制部に当って上方に外れるのが規制（阻止）され、外側に移動しようとしても第１、第２のヘッド側面規制部に当って外側に外れるのが規制（阻止）され、前後に移動しようとしても第１、第２のヘッド載り部位に棒体が当って前後に外れるのが規制（阻止）される状態になる。
すなわち、ヘッド部位の六方が完全に塞がれたヘッド保持部から逃れられない保持形態を実現（図４の下図参照）する。
同時に、棒体（ハンマーでは柄）を一方の手で例えばハンマー撃ち握り形態で握って少し起こし回動して、内側に押すようにしてヘッド部位をヘッド保持部からヘッド出し入れ空間部に移動させ、そのままヘッド部位を押し上げて、第２のヘッド出し入れ開口部から外に出すことができる。すなわち、棒体（柄）を握った手を離すことなく向きを変えることなく少しの持ち上げ操作により素早く簡単に取り出すことができる。
また、入れる場合は、第２のヘッド出し入れ空間部にヘッド部位を入れて手を離せば、棒体（柄）ないしヘッドが内行き規制部に当り、棒体（柄）は内行き規制部を支点にして自重で倒れ回動して（図３、４参照）、ヘッド部位をヘッド保持部に進めながら下がり状態となって、装着（取付）完了となる。
よって、ハンマー撃ち握り状態の一方の手のみでハンマーの取付と外しが簡単素早くできるとともに、取付状態にあってはハンマーが外れることが無い安全なＴ字形部材用ホルダを実現するという効果を奏する。
特に、素早く抜きそのままの握りでハンマー操作が行えるところがよいところである。
また、腰バンドに使用する場合にあっては、ヘッド保持部の前後部位である第１のヘッド保持部と第のヘッド保持部の形態は同じであるので、右腰でも左腰でも同じように使用でき同じ操作となる。
また、棒体回動空間部より棒体が細い場合でも、ヘッド部位の上部前後は第１のヘッド上面規制部と第２のヘッド上面規制部により、持ち上がりが阻止されているので、棒体が前後への振れが規制されるという効果を奏する。
また、Ｔ字形部材が押し上げられても、ヘッド部位が殆どの場合、ヘッド内側面当り部とヘッド上面当り部に当って外れることが阻止されるので、より安全性の高いものにできる。
【図面の簡単な説明】
【０００９】
【図１】本発明の実施例１の斜視図。
【図２】本発明の実施例１の側面図。
【図３】本発明の実施例１のハンマー装着手順図。
【図４】本発明の実施例１のハンマー装着手順図。
【図５】本発明の実施例１の正面図、左側面図、右側面図、平面図底面図。
【図６】本発明の実施例１の斜視図。
【図７】本発明の実施例２の側面図および正面図。
【図８】本発明の実施例３の斜視図。
【図９】本発明の実施例４の斜視図。
【図１０】本発明の実施例５の斜視図。
【図１１】本発明の実施例６の斜視図。
【図１２】本発明の実施例７の斜視図。
【図１３】本発明の実施例８の斜視図。
【図１４】本発明の実施例９の側面図および内行き規制部の斜視図。
【図１５】本発明の実施例１０の使用状態側面図および斜視図。
【図１６】本発明の実施例１１の使用状態側面図および異なる使用状態側面図。
【図１７】本発明の実施例１１の組立分解斜視図。
【図１８】本発明の実施例１２の組立分解斜視図。
【図１９】本発明の実施例１３の使用状態側面図および斜視図。
【図２０】本発明の実施例１４の使用状態側面図および斜視図。
【図２１】本発明の実施例１５の使用状態側面図および斜視図。
【図２２】本発明の実施例１６の使用状態側面図および斜視図。
【図２３】本発明の実施例１７の使用状態斜視図。
【図２４】本発明の実施例１８の斜視図。
【図２５】本発明の実施例１８の使用状態斜視図。
【図２６】本発明の実施例１９の斜視図。
【図２７】本発明の実施例２０の側面図。
【図２８】本発明の実施例２１の斜視図。
【図２９】本発明の実施例２２の斜視図。
【図３０】本発明の実施例２１の斜視図。
【図３１】本発明の実施例２１の斜視図。
【発明を実施するための形態】
【００１０】
以下、本発明を実施するための形態である実施例を説明する。但し、本発明をそれらに限定する趣旨のものではない。また、後述する実施例の説明において前述した実施例と同じ構成には同じ符号を付しその説明を省略する。
【実施例１】
【００１１】
図１〜図６に示す本発明を実施するための最良の第１の実施の形態において、１はＴ字形部材用ホルダであって、ハンマーの保持に適したＴ字形部材用ホルダ１は次に述べるような構成となっている。
Ｔ字形部材用ホルダ１に装着（取り付ける）のはヘッド部位２と棒体３から構成されるＴの字形態をしたＴ字形部材４（ここではハンマー）である。
Ｔ字形部材用ホルダ１は、腰ベルト５に装着する一本の金属棒部材をＵ字形態に曲げ形成した取付体本体６と、
この取付体本体６の上部を下方に折り曲げ形成した立ち下がり部７ａ、７ｂと、
この立ち下がり部７ａ、７ｂと取付体本体６の間に形成されたベルト通部８ａ、８ｂと、
立ち下がり部７ａ、７ｂ、取付体本体６とからなる取付体２０と、
立ち下がり部７ａ、７ｂを外側に折り曲げて形成した連絡部９ａ、９ｂと、
この連絡部９ａから外側に向けて設けられた前記ヘッド部位２の一方を載せるヘッド載り部位１０ａ、このヘッド載り部位１０ａから立ち上がるように設けられた、該ヘッド載り部位１０ａに載っている前記ヘッド部位２の外側に位置するヘッド側面規制部１１ａ、このヘッド側面規制部１１ａから内側に向けて設けられた、前記ヘッド載り部位１０ａに載っている前記ヘッド部位２の上方に位置するヘッド上面規制部１２ａとからなるヘッド保持部１３ａと、
前記連絡部９ｂから外側に向けて設けられた前記ヘッド部位２の他方を載せるヘッド載り部位１０ｂ、このヘッド載り部位１０ｂから立ち上がるように設けられた、該ヘッド載り部位１０ｂに載っている前記ヘッド部位２の外側に位置するヘッド側面規制部１１ｂ、このヘッド側面規制部１１ｂから内側に向けて設けられた、前記ヘッド載り部位１０ｂに載っている前記ヘッド部位の上方に位置するヘッド上面規制部１２ｂとからなるヘッド保持部１３ｂと、
前記ヘッド保持部１３ａと前記ヘッド保持部１３ｂからなるヘッド保持部１３と、
前記ヘッド保持部１３ａと前記ヘッド保持部１３ｂの間に形成された、前記ヘッド部位２が前記ヘッド保持部１３に保持されている状態にあっては前記棒体３の下がり状態を形成し且つ該棒体３を回動自在とする棒体回動空間部１４と、
前記ヘッド上面規制部１２ａと前記ヘッド上面規制部１２ｂの端部間に形成された前記棒体３の出し入れをするための、前記棒体回動自在空間１４と連絡した棒体出し入れ開口部１５と、
この棒体出し入れ開口部１５と連絡し該棒体出し入れ開口部１５の下方に形成された、前記ヘッド部位２を前記ヘッド保持部１３に出し入れするためのヘッド出し入れ開口部１６と、
前記棒体出し入れ開口部１５と連絡し該棒体出し入れ開口部１５の内側で前記連絡部９ａ、９ｂの上方に形成された、前記ヘッド部位２を出し入れするためのヘッド出し入れ開口部１７と、
前記連絡部９ａ、９ｂの上方で前記ヘッド保持部１３の内側に形成された、前記棒体出し入れ開口部１５、前記ヘッド出し入れ開口部１６および前記ヘッド出し入れ開口部１７に連絡したヘッド出し入れ空間部１８と、
前記ヘッド保持部１３の下方側、前記連絡部９ａ、９ｂ側あるいは該ヘッド保持部１３の下方側と前記連絡部９ａ９ｂの中間に設けられた、前記ヘッド保持部１３に保持状態にある前記ヘッド部位２から垂れ下がり状態にある前記棒体３ないしヘッド部位２が当ってそれ以上内側に行くのを阻止するための内行き規制部１９とからなっている。
【００１２】
ヘッド部位２がヘッド保持部１３に保持状態にある場合にあっては、棒体３ないしヘッド部位２が内側に移動しようとしても内行き規制部１９に当り内側に行くのが阻止（規制）されたヘッド部位保持状態にあり、このヘッド部位保持状体にあってのヘッド部位２は、上方に移動しようとしてもヘッド上面規制部１２ａおよびヘッド上面規制部１２ｂに当って上方に外れるのが阻止され、外側に移動しようとしてもヘッド側面規制部１１ａおよびヘッド側面規制部１１ｂに当って外側に外れるのが阻止され、内側に移動しようとしても棒体３が内行き規制部１９に当り内側に行くのが阻止され、前後に移動しようとしてもヘッド載り部位１０ａおよびヘッド載り部位１０ｂに棒体３が当って前後に外れるおよび振れるのが阻止されるという、六方が完全に塞がれたヘッド部位２がヘッド保持部１３から容易には逃れられない保持形態を実現（図４の下図）するとともに、棒体３を一方の手で例えばハンマー撃ち握り状態の握り起こし回動させて、ヘッド部位２をヘッド保持部１３からヘッド出し入れ空間部１８に押し上げ移動させ、そのままヘッド部位２を持ち上げヘッド出し入れ開口部１７から外に出すことができ、入れる場合はこの逆の操作を行えばよい。
入れる場合にあっては、ヘッド出し入れ空間部１８にヘッド部位２を入れて手を離せば、棒体３は内行き規制部１９を支点にして自重で下がり回動してヘッド部位２をヘッド保持部１３に進めながら垂れ下がり状態となって、装着（取付）完了となる（図３、４参照）。
よって、ハンマー撃ち握り状態の一方の手のみでＴ字形部材４（ハンマー）の取付と外しが簡単素早くできるとともに、取付状態にあってはハンマーが外れることが無い安全なＴ字形部材用ホルダ１を実現しているものである。
【００１３】
連絡部９ａ、９ｂの間には連絡部空間が形成されており、該連絡部空間にはドライバー、スパナーなどの工具を差し込み簡易的に保持することができるので、作業性がよくなり便利である。
連絡部は水平に限られるものではなく、斜め上がり、斜め下がり、湾曲形態など多様な形態を採用することができる。
また、ドライバー、ペンチなどの工具を差し込み保持する革性の工具ホルダの上部に横長リングを通し、この横長リングをヘッド上面規制部１２ａ、１２ｂに通し、該横長リングを連絡部９ａ、９ｂ上に位置させ革性の工具ホルダを下げた状態にして使用できる。
【実施例２】
【００１４】
図７に示す本発明の実施例２において前記実施例１と主に異なる点は、取付体本体６を水平に外側に折り曲げて連絡部９ａ、９ｂを形成し、立ち下がり部をＵの字形態（下の角の湾曲は小さい）の立ち下がり部２４として、該立ち下がり部２４を連絡部９ａ、９ｂの下に溶接して設けてなるＴ字形部材用ホルダ２５を形成した点にある。
このような構成とすることにより、ヘッド保持部１３はベルトの上部側という腰高に位置するので、Ｔ字形部材も高い位置となり、取り付け操作（装着操作）と外し操作が行いやすくなるとともに、棒体が下から押し起こされる機会が大幅に減少させることができ、足の腿への当り部分もあがるので腿に当っての外側への振れも小さくなる。
【実施例３】
【００１５】
図８に示す本発明の実施例３において前記実施例１と主に異なる点は、射出成形による合成樹脂製部材でＴ字形部材用ホルダ２８を形成した点にある。
連絡部は一枚プレートとからなる連絡部２９としている。ベルト通部は貫通孔からなるベルト通し部３０となっている。
【００１６】
一枚の金属製板部材を所定の形状に打抜き、それを所定の形状に折り曲げ形成してもＴ字形部材用ホルダ２８と同じ形態のものを形成でき、この形態もよい。
【実施例４】
【００１７】
図９に示す本発明の実施例４において前記実施例１と主に異なる点は、取付体本体を幅広形態とした取付体本体３３としてなるＴ字形部材用ホルダ３４を形成した点にある。
枠体である取付体本体３３が幅広となったことで、腰骨の側方に突き出した部分である腸骨稜が取付体本体３３内に収まるので、装着感が違和感なく良く且つ安定感ある装着を実現する。
【実施例５】
【００１８】
図１０に示す本発明の実施例５において前記実施例１と主に異なる点は、取付体をベルトクリップからなる取付体４０とし、この取付体４０に連絡部９ａ、９ｂ側を溶接により固定してなるＴ字形部材用ホルダ４１を形成した点にある。
【実施例６】
【００１９】
図１１に示す本発明の実施例６において前記実施例２と主に異なる点は、取付体本体６の上部に立ち上げ体４３を設け、この立ち上げ体４３の上部を外側に水平に折り曲げて台部４４を形成し、この台部４４に永久磁石４５を載置し、台部４４と上面規制部１２ａおよび上面当り部１２ｂとの間にヘッド部位２を出し入れするヘッド出し入れ開口部４６を形成してなるＴ字形部材用ホルダ４７を形成した点にある。
永久磁石４５に磁着性のある釘、ビス、ステップルなどを多数磁着保持させて、あるいはスパナーなどの小さな工具を磁着させて作業を効率的に進めることができるので大変便利である。
また、ヘッド保持部１３にヘッド部位２が保持されている状態で、棒体３が大きく起き回動しても該棒体３は台部４４に当りヘッド部位２は下向きの力が加わり連絡部９ａ、９ｂに押し付けられ、且つ、棒体２の首前後は上面規制部１２ａおよび上面当り部１２ｂによって前後に行くのを阻止されるので、棒体２が大きく起き回動しても工具がホルダから外れることがないという効果を奏する。
ヘッド部位２を入れる操作は、棒体３を水平ないしそれより少し下向きでヘッド部位をヘッド出し入れ開口部４６から内側に向けて入れ、手を離すと棒体３は自然に降り回動してヘッド部位３はヘッド保持部１３に収まり装着は完了する。
ヘッド部位２を抜く（外す、取り出す）操作は、棒体３を片方の手で親指を上内側にして握り、ヘッド部位２を内側に移動させ持ち上げておいて引き出すことにより取り出す。
【実施例７】
【００２０】
図１２に示す本発明の実施例６において前記実施例１と主に異なる点は、ヘッド上面規制部１２ａ１２ｂに着脱可能に装着するゴム円筒製のアダプター５０ａ、５０ｂを設け、あるいは添付して、前記アダプター５０ａ、５０ｂをヘッド上面規制部１２ａ１２ｂに装着することによって、ヘッド部位２が位置するヘッド保持部１３の空間の上下距離を短くできるようにしたＴ字形部材用ホルダ５１を形成した点にある。
アダプター５０ａ、５０ｂと同様な形態でヘッド載り部位１０ａ、１０ｂが嵌り込むための切り込みないし溝を設けたものでもよい。
【実施例８】
【００２１】
図１３に示す本発明の実施例８において前記実施例３と主に異なる点は、取付体を一枚のプレートからなる取付体５３にし、該取付体５３にネジ通し孔５４を数カ所設け、該ネジ通し孔５４にビス５５によって、壁（図示せず省略）に固定して使用するＴ字形部材用ホルダ５６を形成した点にある。
これは、例えば、自動車の車内の足下壁に固定し、脱出の際に窓ガラスを割るためのヘッド部位５７の先端の尖ったハンマーであるＴ字形部材５８を保持しておく使用方法が考えられる。素早く簡単に外して使用できる。
【実施例９】
【００２２】
図１４に示す本発明の実施例９において前記実施例１と主に異なる点は、内行き規制部を、連絡部９ａ、９ｂおよびヘッド載り部位１０ａ、１０ｂの上に着脱可能に装着する硬質ゴム製部材からなる内行き規制部６０としたＴ字形部材用ホルダ６１を形成した点にある。
内行き規制部６０は、四角形の阻止部本体６６と、この阻止部本体５１の低い（薄い）側を形成している低いヘッド載り部位６２と、阻止部本体５１の高い（厚い）側を形成している高い部位ヘッド載り部位６３と、阻止部本体５１の底部に形成された連絡部９ａ、９ｂおよびヘッド載り部位１０ａ、１０ｂが嵌る嵌り溝６４ａ、６４ｂと、棒体３が入る棒体は入部６５ａ、６５ｂとからなっている。
内行き規制部６０の向きを変えることによって、ヘッド載り部位１０ａ、１０ｂの高さを変えることができ、幅広くヘッド部位に対応できる。
【００２３】
内行き規制部が、第１のヘッド載り部位と第２のヘッド載り部位に跨って載るあるいは連絡部に跨って載る幅の第１の阻止部材と、この第１の阻止部材よりも厚みのある第２の阻止部材と、この第２の阻止部材と前記第１の阻止部材を前記第１、第２のヘッド載り部位を挟む形態あるいは連絡部を挟む形態で着脱可能形態に結合する結合手段とからなることを特徴とするＴ字形部材用ホルダ。
内行き規制部のセット位置を好みの位置に調節することができるとともに、厚みのある第２の阻止部材を上にそれより薄い第１の阻止部材を下にして結合した形態とし、また、第１の阻止部材を上に第２の阻止部材を下にして結合した形態とした取付け選択できるので、保持するヘッド部位の大きさ、形態等に対応した調節ができるので、特に大きさの異なるヘッド部位への対応範囲の広いＴ字形部材用ホルダを実現する。
【００２４】
第１、第２のヘッド載り部位あるいは第１、第２のヘッド上面規制部に着脱可能に装着するアダプターを設け、あるいは添付して、前記アダプターを第１、第２のヘッド載り部位あるいは前記第１、第２のヘッド上面規制部に装着することによって、ヘッド保持部のヘッド部位が位置する空間の上下距離を短くできるようにしたことを特徴とするＴ字形部材用ホルダ。
アダプターのない場合は大きなヘッド部位のものを取付けられ、アダプターを装着した場合はヘッド部位の小さいものを取り付けられるで、対応するヘッド部位の範囲が広くなる。
【実施例１０】
【００２５】
図１５に示す本発明の実施例１０において前記実施例１と主に異なる点は、取付体を連絡部９ａ、９ｂを下方に向けて折り曲げ、次に外側に向けて折り曲げ、次に上に向けて折り曲げてベルト通し部６８ａ６６８ｂを形成してなる取付体本体６９とした取付体７０を形成し、これによってＴ字形部材用ホルダ７１を形成した点にある。
この結果、連絡部９ａ、９ｂおよびヘッド載り部位１０ａ、１０ｂが前記取付体７０の上部に位置され、よって、腰ベルト（図示せず省略）に前記取付体７０を装着した状態にあっては、連絡部９ａ、９ｂおよびヘッド載り部位１０ａ、１０ｂの高さ位置が腰ベルトの上部と略同じ高さ位置かそれより高い位置とした形態を実現しているものである。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
【実施例１１】
【００２６】
図１６、１７に示す本発明の実施例１１において前記実施例１０と主に異なる点は、内行き規制部を、ヘッド載り部位１０ａ、１０ｂに跨って載るあるいは連絡部９ａ、９ｂに跨って載る幅の阻止部材７３と、この阻止部材７３よりも厚みのある阻止部材７４と、この阻止部材７４と前記阻止部材７３を前記ヘッド載り部位１０ａ、１０ｂを挟む形態あるいは連絡部９ａ、９ｂを挟む形態で着脱可能形態に結合するボルト７５とナット７６からなる結合手段７７とから内行き規制部７８として、取付体本体６９を金属板７９で溶接結合一体化してなるＴ字形部材用ホルダ８０を形成した点にある。
阻止部材７３には上下に貫通するネジ通し孔８１が設けられ、図面で上で上面にヘッド載り部位１０ａ、１０ｂが入る凹部８２ａ、８２ｂが設けられている。
阻止部材７４には上下に貫通するネジ通し孔８３が設けられ、図面上で下面にヘッド載り部位１０ａ、１０ｂが入る凹部８４ａ、８４ｂにている。８５はワッシャー。
結合手段は、粘着テープ、面ファスナー帯体、クリップ、ゴム輪など多様な手段がある。
ネジ通し孔８１、ネジ通し孔８３は二箇所以上設け、二本以上のボルトで締めるのも良い。
【実施例１２】
【００２７】
図１８に示す本発明の実施例１２において前記実施例１１と主に異なる点は、取付体を、金属板７９を設けず、ベルト通し部６８ａ、６８ｂを形成している外側立ち上がり部８７ａ、８７ｂの上部で折り曲げ幅決めをしている連絡部である幅決め連絡部８８によって連絡された取付体８９とし、かつ、内行き規制部７８以外の部位が一本の金属製棒部材の折り曲げによって形成した、Ｔ字形部材用ホルダ９０を形成した点にある。
【実施例１３】
【００２８】
図１９に示す本発明の実施例１３において前記実施例１１と主に異なる点は、離れ部９ａ、９ｂを短くし取付体８９をヘッド保持部１３に距離が近い構成とし、内行き規制部を幅決め連絡部８８による内行き規制部９２としたＴ字形部材用ホルダ９３を形成した点にある。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできる。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、むしろこれによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にする。
また、Ｔ字形部材が身体に近くなるので振れが少なくなり、携行が安定する。
【実施例１４】
【００２９】
図２０に示す本発明の実施例１４において前記実施例１３と主に異なる点は、取付体を連絡部９ａ、９ｂを下方に向け折り曲げ、次に内側に向けて折り曲げ、次に上方に向けて折り曲げてベルト通し部６８ａ、６８ｂを形成してなる取付体本体９５とした取付体９６を形成し、さらに外側に向けて折り曲げ、幅決め連絡部８８を連絡部９ａ、９ｂないしヘッド載り部位１０ａ、１０ｂの上部に位置させて、該幅決め連絡部８８を内行き規制部９２としたＴ字形部材用ホルダ９７を形成した点にある。
【実施例１５】
【００３０】
図２１に示す本発明の実施例１５において前記実施例１３と主に異なる点は、ヘッド上面規制部１２ａ、１２ｂを内側に延長して離れ部９ａ、９ｂの上方にまで位置させた形態とし、よって、ヘッド出し入れ開口部１７を有しない形態のＴ字形部材用ホルダ１００を形成した点にある。
連絡部９ａ、９ｂおよびヘッド出し入れ開口部１７を有さない形態で、かつ、ヘッド載り部位１０ａ、１０ｂが取付体の上部に位置されるという形態によって、ヘッド上面規制部１２ａ、１２ｂと身体（脇腹）との間には使用者の身体形態によって隙間が無かったり僅かの隙間がある程度になるが、ヘッド部位の出し入れは身体（脇腹）を押し凹ませてヘッド出し入れ開口部１７に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にする。
【実施例１６】
【００３１】
図２２に示す本発明の実施例１６において前記実施例１０と主に異なる点は、内行き規制部を設けない（有さない）構成とし、取付体を内側面で金属板１０３によって幅決め熔接結合して全体を一体化し、ヘッド上面規制部１２ａ、１２ｂを内側に延長して離れ部９ａ、９ｂの上方に位置させた形態とし、よって、ヘッド出し入れ開口部１７を有しない形態であり、かつ、腰ベルト（図示せず省略）に取付体７０を取り付けた状態にあって、腰ベルトの上部縁が内行き規制部として機能されるようにしてなるＴ字形部材用ホルダ１０４を形成した点にある。
第２のヘッド出し入れ開口部および内行き規制部を有しない形態であっても、腰ベルトに取付体を取り付けた状態にあって、該腰ベルトの上部縁が内行き規制部として機能され、かつ、第１、第２のヘッド上面規制部と身体（脇腹）との間には隙間が無かったり僅かの隙間がある程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にしている。
【実施例１７】
【００３２】
図２３に示す本発明の実施例１７において前記実施例１と主に異なる点は、ヘッド部位１０６、棒体１０７とからなる充電式ドライバーであるＴ字形部材１０８を装着するＴ字形部材用ホルダ１０９を形成した点にある。
１１０ａ、１１０ｂはベルト通部８ａ、８ｂの着脱自在形態で塞ぐ開閉式環部材である。
開閉式環部材に変えて着脱できない環部材（八の字形リング、ニ連リングが持ち上げても上部で外れることが無いのでよい）を移動自在に設ける形態もよい。この形態では、腰ベルト（図示せず省略）を腰に装着したままの状態でＴ字形部材用ホルダ１０９を上から押し下げてベルト通部８ａ、８ｂの下部から入れ、環部材を押し上げて装着し、腰ベルトを腰に装着したままＴ字形部材用ホルダ１０９を持ち上げ外すことが自在にできるとともに、環部材を下にして腰に装着しない状態で腰ベルトをベルト通部８ａ、８ｂに通して、外れない形態で装着することができる。
【実施例１８】
【００３３】
図２４、図２５に示す本発明の実施例１８において前記実施例１と主に異なる点は、内行き規制部を取付体本体６を連絡部９ａ、９ｂより下方の部位を外側に折り曲げないし折り曲げ傾斜上げ状態にして、その先端バー部分によって内行き規制部１１１としてなるＴ字形部材用ホルダ１１２を形成した点にある。
略同様な形態を１枚の金属板を打抜折り曲げて形成したものもよい。
【００３４】
内行き規制部１１１を連絡部９ａ、９ｂないしヘッド載り部位１０ａ、１０ｂに近接ないし当接させて、内行き規制部１１１と連絡部９ａ、９ｂないしヘッド載り部位１０ａ、１０ｂを熔接、結束バンドなどによって接合や連結するのがよい。こうすることによりヘッド載り部位１０ａ、１０ｂおよびヘッド上面規制部１２ａ、１２ｂが広がったり狭まったりすることが強く抑制される。
結束バンドや針金部材などによる連結では、内行き規制部１１１と連絡部９ａ、９ｂは離れていても可能であり、熔接の場合にも他の部材を渡しても可能である。
【００３５】
内行き規制部１１１の幅とヘッド上面規制部１２ａ、１２ｂ、ヘッド載り部位１０ａ、１０ｂの幅が異なるものもよい。例えば、ヘッド載り部位１０ａ、１０ｂを前後方向に広げた形態とすることにより、幅広ないし太い柄のものに対応可能となり、前後方向に狭めた形態とすることにより細い柄のものに対応可能とすることができる。すなわち、ヘッド載り部位１０ａ、１０ｂと内行き規制部１１１が非接合形態であるＴ字形部材用ホルダ１１２では、ヘッド載り部位１０ａ、１０ｂの前後方向への幅を容易に広げたり狭めたりできるので、より多様なＴ字形部材への対応が１つのもので可能とするものである。
ヘッド載り部位１０ａ、１０ｂの開き具合を形成してから、内行き規制部１１１と連絡部９ａ、９ｂないしヘッド載り部位１０ａ、１０ｂを熔接、結束バンドなどによって接合や連結するのもよい。
【実施例１９】
【００３６】
図２６に示す本発明の実施例１９において前記実施例１８と主に異なる点は、ヘッド上面規制部１２ａ、１２ｂのそれぞれの形成時に、それぞれの先端部位の余分な部位を所定の位置で折り上げ曲げた状態として、それから切断して曲げ上げ部１１３ａ、１１３ｂを形成したＴ字形部材用ホルダ１１４を形成した点にある。
先端が曲げられた湾曲形態となるので、ヘッド出し入れ開口部１７が少し広がりかつ湾曲面であるので、ヘッド部位の出し入れ操作が（特の出し操作）行い易い。
【実施例２０】
【００３７】
図２７に示す本発明の実施例２０において前記実施例１８と主に異なる点は、連絡部９ａ、９ｂ、ヘッド載り部位１０ａ、１０ｂ、ヘッド上面規制部１２ａ、１２ｂを内側に下り傾斜形態としたＴ字形部材用ホルダ１１５を形成した点にある。
Ｔ字形部材４の棒体３が内側（ベルト側）にある内行き規制部１１１に常に下り押し付け状態とされるので、外側に振れ難く保持安定性がよい。
【実施例２１】
【００３８】
図２８に示す本発明の実施例２１において前記実施例１８と主に異なる点は、取付体本体６のベルトの内側に位置する部位の内側に下方に突き出す形態のプレート１１６を設けてなるＴ字形部材用ホルダ１１７を形成した点にある。
プレート１１６によって、取付体本体６下方折り曲げ部位の角が腿に食い込む違和感を解消することができる。プレート１１６は金属板、合成樹脂製板、革板、安全ベルトなどと同じ素材でからなる織物製板部材など多様なものがある。
【実施例２２】
【００３９】
図２９に示す本発明の実施例２２において前記実施例２１と主に異なる点は、ヘッド上面規制部１２ｂの内側への長さがヘッド上面規制部１２ａより長く形成され、ヘッド側面規制部１１ａよりヘッド側面規制部１１ｂの方を短く形成してなるＴ字形部材用ホルダ１１８を形成した点にある。
こうすることにより、例えば、釘抜き部（あるいは壁等への孔あけのため尖った部位）と打ち叩き部からなるヘッドのＴ字形部材によりあった形態となり、振れが少なくより納まりのよい外れ難いものにできる。
【実施例２３】
【００４０】
図３０、３１に示す本発明の実施例２３において前記実施例１０と主に異なる点は、取付体本体６９からＴ字形部材４のヘッド部位２の内側面が当るヘッド内側面当り部１２０がヘッド上面規制部１２ａ、１２ｂより高い位置まで立ち上げられ、ヘッド内側面当り部１２０の上部が外側に曲がり延びた形態ないし他の部材を設けた形態でのヘッド部位２の上面が当るヘッド上面当り部１２１が設けられ、ヘッド上面当り部１２１の先端とヘッド上面規制部１２ａ、１２ｂの間にヘッド部位２が出入りするヘッド部位出入り開口１２２が形成されてなるＴ字形部材用ホルダ１２３を形成した点にある。
Ｔ字形部材４が押し上げられても、ヘッド部位２が殆どの場合、ヘッド内側面当り部１２０とヘッド上面当り部１２１に当って外れることが阻止されるので、より安全性の高いものにできる。
【００４１】
[付記]
＜付記１記載の発明の効果＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体から外側に突出された部位あるいは該取付体の上面からなる連絡部と、
この連絡部から外側に向けて設けられた前記第１のヘッド下面を直接的にあるいは他の部材を介して間接的に載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記連絡部から外側に向けて設けられた前記ヘッド部位の前記第２のヘッド下面を直接的にあるいは他の部材を介して間接的に載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部の下方に形成された、前記ヘッド部位を前記ヘッド保持部に出し入れするための第１のヘッド出し入れ開口部と、
前記棒体出し入れ開口部と連絡し該棒体出し入れ開口部の内側で前記連絡部の上方に形成された、前記ヘッド部位を出し入れするための第２のヘッド出し入れ開口部と、
前記連絡部の上方で前記ヘッド保持部の内側に形成された、前記棒体出し入れ開口部、前記第１のヘッド出し入れ開口部および前記第２のヘッド出し入れ開口部に連絡したヘッド出し入れ空間部と、
前記第１、第２のヘッド載り部位側ないし前記連絡部側に設けられた、あるいは前記第１、第２のヘッド載り部位側ないし前記連絡部側に位置された、前記ヘッド保持部に保持状態にある前記ヘッド部位ないし下がり状態にある前記棒体の内側への動きを規制する内行き規制部とからなることを特徴とするＴ字形部材用ホルダである。
腰ベルトに装着したハンマーホルダとしての使用形態例でその効果を説明する。
ハンマーのヘッド部位がヘッド保持部に保持状態にある場合にあっては、ヘッド部位ないし棒体が内側に移動しようとしても内行き規制部に当り内側に行くのが規制（阻止）され、上方に移動しようとしても第１、第２のヘッド上面規制部に当って上方に外れるのが規制（阻止）され、外側に移動しようとしても第１、第２のヘッド側面規制部に当って外側に外れるのが規制（阻止）され、前後に移動しようとしても第１、第２のヘッド載り部位に棒体が当って前後に外れるのが規制（阻止）される状態になる。
すなわち、ヘッド部位の六方が完全に塞がれたヘッド保持部から逃れられない保持形態を実現（図４の下図参照）する。
同時に、棒体（ハンマーでは柄）を一方の手で例えばハンマー撃ち握り形態で握って少し起こし回動して、内側に押すようにしてヘッド部位をヘッド保持部からヘッド出し入れ空間部に移動させ、そのままヘッド部位を押し上げて、第２のヘッド出し入れ開口部から外に出すことができる。すなわち、棒体（柄）を握った手を離すことなく向きを変えることなく少しの持ち上げ操作により素早く簡単に取り出すことができる。
また、入れる場合は、第２のヘッド出し入れ空間部にヘッド部位を入れて手を離せば、棒体（柄）ないしヘッドが内行き規制部に当り、棒体（柄）は内行き規制部を支点にして自重で倒れ回動して（図３、４参照）、ヘッド部位をヘッド保持部に進めながら下がり状態となって、装着（取付）完了となる。
よって、ハンマー撃ち握り状態の一方の手のみでハンマーの取付と外しが簡単素早くできるとともに、取付状態にあってはハンマーが外れることが無い安全なＴ字形部材用ホルダを実現するという効果を奏する。
特に、素早く抜きそのままの握りでハンマー操作が行えるところがよいところである。
また、腰バンドに使用する場合にあっては、ヘッド保持部の前後部位である第１のヘッド保持部と第のヘッド保持部の形態は同じであるので、右腰でも左腰でも同じように使用でき同じ操作となる。
また、棒体回動空間部より棒体が細い場合でも、ヘッド部位の上部前後は第１のヘッド上面規制部と第２のヘッド上面規制部により、持ち上がりが阻止されているので、棒体が前後への振れが規制されるという効果を奏する。
＜付記２記載の発明の効果＞
棒体、この棒体の上部あるいは適宜な箇所に設けられた、該棒体よりも前後に突出する部位を形成しているヘッド部位とからなるとともに、前記ヘッド部位の前側下面を第１のヘッド下面とし後側下面を第２のヘッド下面とした形態のあるいは該形態となる部位を有するＴ字形部材用ホルダであって、
腰ベルトに装着する部位であるあるいは壁面などに取付ける部位である取付体と、
この取付体の上部から外側に突出するように設けられた、前記第１のヘッド下面を載せるとともに前記棒体の前方への動きを規制する第１のヘッド載り部位、この第１のヘッド載り部位から立ち上がるように設けられた、前記ヘッド部位の外側に位置して該ヘッド部位の該外側への動きを規制する第１のヘッド側面規制部、この第１のヘッド側面規制部から内側に向けて設けられた、前記ヘッド部位の上方に位置して該ヘッド部位の上への動きを規制する第１のヘッド上面規制部とからなる第１のヘッド保持部と、
前記取付体の上部から外側に突出するように設けられた、前記ヘッド部位の前記第２のヘッド下面を載せるとともに前記棒体の後方への動きを規制する第２のヘッド載り部位、この第２のヘッド載り部位から立ち上がるように設けられた、前記ヘッド部位の外側に位置して該ヘッド部位の外側への動きを規制する第２のヘッド側面規制部、この第２のヘッド側面規制部から内側に向けて設けられた、前記ヘッド部位の上方に位置して該ヘッド部位の上への動きを規制する第２のヘッド上面規制部とからなる第２のヘッド保持部と、
前記第１のヘッド保持部と前記第２のヘッド保持部からなるヘッド保持部と、
前記第１のヘッド保持部と前記第２のヘッド保持部の間に形成された、前記ヘッド部位が前記ヘッド保持部に保持されている状態にあっては前記棒体の垂れ下がり状態を形成し且つ該棒体を前記第１のヘッド保持部と前記第２のヘッド保持部の間で回動自在とする棒体回動空間部と、
前記第１のヘッド上面規制部と前記第２のヘッド上面規制部の端部間に形成された、前記棒体の出し入れを可能とするための前記棒体回動自在空間と連絡した棒体出し入れ開口部と、
この棒体出し入れ開口部と連絡し該棒体出し入れ開口部と前記取付体の間に形成された、前記ヘッド部位を前記ヘッド保持部に出し入れするためのヘッド出し入れ開口部と、
前記取付体の上部側あるいは該取付体の外側で該取付体に近接する位置に設けられた、前記ヘッド保持部に保持状態にある前記ヘッド部位ないし下がり状態にある前記棒体の内側への動きを規制する内行き規制部とからなるとともに、
第１のヘッド載り部位および第２のヘッド載り部位の上面が、前記取付体が取りつけられたベルトや壁などの取付体取付け部の上部面と略同じ程度かそれより上方に位置するようにしてなることを特徴とするＴ字形部材用ホルダである。
ベルトや壁などの取付体取付け部よりも第１のヘッド載り部位および第２のヘッド載り部位の上面が位置しているので、ハンマーなどのヘッド部位はヘッド出し入れ開口部から前記取付体取付け部よりも内側に抜けさせ取り外すことができるものであり、このような構成としても、取付体取付け部内側にハンマーなどのヘッド部位が抜ける空間があるものや、ヘッド部位で押して空間を形成できる場合において使用できるものであり、このような使用可能形態においては付記１記載の発明と同様な効果を奏する。
Ｔ字形部材用ホルダ（特にハンマー）のヘッド部位の底面が腰ベルトと略同じかそれよりも上に位置する。すなわち、腰より上に位置するので身体動作が小さくなり、よって棒体の外側への振れを小さくできるという効果を奏する。
また、連絡部および第１、第２のヘッド載り部位が取付体の上部に位置されているので、身体の脇腹に向かう内側は開放された形態となるので、連絡部を短くしてヘッド保持部を取付体に近づける、すなわち、ヘッド保持部を身体側に近づける身体（脇腹）に近づけた形態を可能し、この身体（脇腹）に近づけた形態にあっては、第２のヘッド出し入れ開口部は第１、第２のヘッド上面規制部の内側先端と身体（脇腹）によって形成されるが、その形成された第２のヘッド出し入れ開口部がヘッド部位より狭くてもよく、この形態では、ヘッド部位の第２のヘッド出し入れ開口部からの出し入れは身体（脇腹）を押して凹ませ該第２のヘッド出し入れ開口部を広げて行うことが問題なくできる。
すなわち、連絡部および第１、第２のヘッド載り部位が取付体の上部に位置されるという形態によって、第１、第２のヘッド上面規制部と身体（脇腹）との間にヘッド部位よりも狭い第２のヘッド出し入れ開口部を形成し、ヘッド部位の出し入れは身体（脇腹）を押し凹ませて行うという形態を実現するものであり、これによって、ヘッド部位が棒体が外側に回動した状態で内側に押されても、該ヘッド部位は身体（脇腹）に当り抜けるのが防止されるとともに、ベルト装着者がそのことを直ちに認識して俊敏な対応を可能にするという効果を奏する。
また、Ｔ字形部材が身体に近くなるので振れが少なくなり、携行が安定する。
＜付記３記載の発明の効果＞
内行き規制部が設けられず、取付体が取りつけられたベルトや壁などの取付体取付け部が内行き規制部として機能するものであることを特徴とする付記２記載のＴ字形部材用ホルダである。
内行き規制部をベルトや壁などの取付体取付け部としているので、このような構成としても、付記２記載の発明と同様な効果を奏する。
第２のヘッド出し入れ開口部および内行き規制部を有しない形態であっても、腰ベルトに取付体を取り付けた状態にあって、該腰ベルトの上部縁が内行き規制部として機能し、かつ、第１、第２のヘッド上面規制部と身体（脇腹）との間には隙間が無かったり僅かの隙間が在る程度になるが、ヘッド部位の出し入れは身体（脇腹）を押し凹ませて第２のヘッド出し入れ開口部に該当する開口を形成して行うという形態を実現するものであり、これによって、ヘッド部位が棒体が外側に回動した状態で内側に押されても、該ヘッド部位は身体（脇腹）に当り抜けるのが防止されるとともに、ベルト装着者が不用意にヘッド部位が押し上げられることを直ちに感じ認識して速やかな対応を可能にするという効果を奏する。
また、Ｔ字形部材が身体に近くなるので振れが少なくなり、携行が安定する。
＜付記４記載の発明の効果＞
ヘッド保持部、取付体が一本の金属製棒部材を折り曲げることによって形成されたものであることを特徴とする付記１、２、３のいずれか1項に記載のＴ字形部材用ホルダである。
付記１、２、３のいずれかに記載の発明と同様な効果を奏するとともに、ヘッド保持部、取付体が一本の金属製棒部材を折り曲げによる構成であるので、安価にできるという効果を奏する。
＜付記５記載の発明の効果＞
ヘッド保持部、取付体、内行き規制部が一本の金属製棒部材を折り曲げることによって形成されたものであることを特徴とする付記１、２のいずれかに記載のＴ字形部材用ホルダである。
付記１、２のいずれか1項に記載の発明と同様な効果を奏するとともに、内行き規制部が第１、第２の連絡部ないし第１、第２のヘッド載り部位と非接合形態の分離した形態となるので、第１、第２の連絡部、第１、第２のヘッド載り部位および第１、第２のヘッド上面規制部の間隔幅を広げたり狭めたりすることが自在にできるものである。これによって、より多様な幅や太さの柄に対応したものにできるという効果を奏する。
また、全ての部位が一本の金属製棒部材を折り曲げによる構成であるので、安価にできるという効果を奏する。
【産業上の利用可能性】
【００４２】
【符号の説明】
【００４３】
１：Ｔ字形部材用ホルダ、
２：ヘッド部位、
３：棒体、
４：Ｔ字形部材、
５：腰ベルト、
６：取付体本体
７ａ、７ｂ：立ち下がり部、
８ａ、８ｂ：ベルト通部、
９ａ、９ｂ：連絡部、
１０ａ：ヘッド載り部位、
１０ｂ：ヘッド載り部位、
１１ａ：ヘッド側面規制部、
１１ｂ：ヘッド側面規制部
１２ａ：ヘッド上面規制部、
１２ｂ：ヘッド上面規制部、
１３ａ：ヘッド保持部、
１３ｂ：ヘッド保持部、
１３：ヘッド保持部、
１４：棒体回動空間部、
１５：棒体出し入れ開口部、
１６：ヘッド出し入れ開口部、
１７：ヘッド出し入れ開口部、
１８：ヘッド出し入れ空間部、
１９：内行き規制部、
２０：取付体、
２４：立ち下がり部、
２５：Ｔ字形部材用ホルダ、
２８：Ｔ字形部材用ホルダ、
２９：連絡部、
３０：ベルト通し部、
３３：取付体本体、
３４：Ｔ字形部材用ホルダ、
４０：取付体、
４１：Ｔ字形部材用ホルダ、
４３：立ち上げ体、
４４：台部、
４５：永久磁石、
４６：第３のヘッド出し入れ開口部、
４７：Ｔ字形部材用ホルダ、
５０ａ、５０ｂ：アダプター、
５１：Ｔ字形部材用ホルダ、
５３：取付体、
５４：ネジ通し孔、
５５：ビス、
５６：Ｔ字形部材用ホルダ、
５７：ヘッド部位、
５８：Ｔ字形部材、
６０：内行き規制部、
６１：Ｔ字形部材用ホルダ、
６２：低いヘッド載り部位、
６３：高い部位ヘッド載り部位、
６４ａ、６４ｂ：嵌る嵌り溝、
６５ａ、６５ｂ：棒体は入部、
６６：阻止部本体、
６８ａ、９８ｂ：ベルト通し部、
６９：取付体本体、
７０：取付体、
７１：Ｔ字形部材用ホルダ、
７３：阻止部材、
７４：阻止部材、
７５：ボルト、
７６：ナット、
７７：結合手段、
７８：内行き規制部、
７９：金属板、
８０：Ｔ字形部材用ホルダ、
８１：ネジ通し孔、
８２ａ、８２ｂ：凹部、
８３：ネジ通し孔、
８４ａ、８４ｂ：凹部、
８５：ワッシャー、
８７ａ、８７ｂ：外側立ち上がり部、
８８：幅決め連絡部、
８９：取付体、
９０：Ｔ字形部材用ホルダ、
９２：内行き規制部、
９３：Ｔ字形部材用ホルダ、
９５：取付体本体、
９６：取付体、
９７：Ｔ字形部材用ホルダ、
１００：Ｔ字形部材用ホルダ、
１０３：金属板、
１０４：Ｔ字形部材用ホルダ、
１０６：ヘッド部位、
１０７：棒体、
１０８：Ｔ字形部材、
１０９：Ｔ字形部材用ホルダ、
１１１：内行き規制部、
１１２：Ｔ字形部材用ホルダ、
１１３ａ、１１３ｂ：曲げ上げ部、
１１４：Ｔ字形部材用ホルダ、
１１５：Ｔ字形部材用ホルダ、
１１６：プレート、
１１７：Ｔ字形部材用ホルダ、
１１８：Ｔ字形部材用ホルダ、
１２０：ヘッド内側面当り部、
１２１：ヘッド上面当り部、
１２２：ヘッド部位出入り開口、
１２３：Ｔ字形部材用ホルダ。